(57)【要約】【課題】印加する電圧を変化させることなく、全表示領域に占める発光領域の割合に応じた輝度制御を行うことができるとともに、ちらつきの発生を抑えた表示品質の高い電気光学装置及びその駆動方法、並びに当該電気光学装置を備える電子機器を提供する。【解決手段】電気光学装置の一種である有機ＥＬ装置は、複数の書き込み用走査線、書き込み用走査線に対応して設けられた複数の消去用走査線、これらの走査線に対して交差する方向に延びる複数のデータ線、走査線とデータ線との交点に対応して配設された発光素子、及びその駆動装置を備えている。駆動装置は、上記の複数の走査線を非順次に走査するとともに、表示画像の輝度割合に応じて画素に設けられる前記発光素子の発光時間を調整する。【選択図】図８
2007293264.tif 000002
【特許請求の範囲】
【請求項１】
複数の画素と、当該複数の画素のうちの所定数の画素を単位として設けられた複数の書込用走査線とを備えた電気光学装置であって、
前記複数の書込用走査線を非順次に走査するとともに、表示画像の輝度割合に応じて前記画素の発光時間を調整する駆動装置を備えることを特徴とする電気光学装置。
【請求項２】
複数の画素を備えた電気光学装置であって、
表示画像の輝度割合に応じて前記画素の発光時間を調整する駆動装置を備えることを特徴とする電気光学装置。
【請求項３】
前記電気光学装置は、前記画素の各々に発光素子を備える有機ＥＬ装置であることを特徴とする請求項１又は請求項２記載の電気光学装置。
【請求項４】
前記電気光学装置は、前記画素の各々に画素電極を備えており、当該画素電極と対向電極との間に液晶を挟持させた液晶装置であることを特徴とする請求項１又は請求項２記載の電気光学装置。
【請求項５】
前記駆動装置は、前記画素を非発光とするタイミングを調整することにより、前記画素の発光時間を調整することを特徴とする請求項１から請求項４の何れか一項に記載の電気光学装置。
【請求項６】
前記書込用走査線に対応して設けられた複数の消去用走査線と、
前記書込用走査線が設けられる単位の前記所定数の画素毎に設けられ、前記書込用走査線及び前記消去用走査線に対して交差する方向に延びる複数のデータ線とを備え、
前記駆動装置は、前記書込用走査線を介して前記画素を発光させ、前記消去用走査線を介して前記画素を非発光とすることを特徴とする請求項１記載の電気光学装置。
【請求項７】
前記駆動装置は、前記複数の書込用走査線の走査に対応させて前記消去用走査線を非順次に走査することを特徴とする請求項６記載の電気光学装置。
【請求項８】
前記複数の書込用走査線は、その並びの順で所定数を単位として区分されており、
前記駆動装置は、前記区分毎に独立して前記書込用走査線を走査することにより、前記複数の書込用走査線を非順次に走査することを特徴とする請求項６又は請求項７記載の電気光学装置。
【請求項９】
前記複数の消去用走査線は、対応する前記書込用走査線の区分毎に区分されており、
前記駆動装置は、前記区分毎に独立して前記消去用走査線を走査することにより、前記複数の消去用走査線を非順次に走査することを特徴とする請求項８記載の電気光学装置。
【請求項１０】
前記駆動装置は、前記区分毎に独立した前記書込用走査線及び前記消去用走査線の走査の開始タイミングを、所定の単位期間を前記区分の数で除算して得られる時間だけずらすことを特徴とする請求項９記載の電気光学装置。
【請求項１１】
前記駆動装置は、所定の単位期間を複数に分割した期間の各々で、前記書込用走査線及び前記消去用走査線の走査を行うことにより、前記所定の単位期間内において前記書込用走査線及び前記消去用走査線の各々の走査を複数回に亘って行うことを特徴とする請求項９記載の電気光学装置。
【請求項１２】
前記駆動装置は、前記所定の単位期間を複数に分割した期間の各々で、前記画素の発光時間の調整を行うことを特徴とする請求項１１記載の電気光学装置。
【請求項１３】
前記画素の各々は、前記書込用走査線及び前記データ線からの信号に基づいて前記画素をそれぞれ発光させる駆動素子と、
前記駆動素子の特性のばらつきを補償する補償回路と
を備えることを特徴とする請求項６から請求項１２の何れか一項に記載の電気光学装置。
【請求項１４】
前記画素は、赤色を発光する赤色画素、緑色を発光する緑色画素、及び青色を発光する青色画素を有しており、
前記駆動装置は、前記赤色画素、緑色画素、及び青色画素の各々を同一の発光開始タイミングで発光させ、前記赤色画素、前記緑色画素、及び前記青色画素の各々を同一の非発光開始タイミングで非発光とすることを特徴とする請求項１から請求項１３の何れか一項に記載の電気光学装置。
【請求項１５】
前記駆動装置は、前記表示画像の輝度割合に対して、前記画素の輝度が非線形となるように前記画素の発光時間を調整することを特徴とする請求項１から請求項１４の何れか一項に記載の電気光学装置。
【請求項１６】
複数の画素と、当該複数の画素のうちの所定数の画素を単位として設けられた複数の書込用走査線とを備えた電気光学装置の駆動方法であって、
前記複数の書込用走査線を非順次に走査するとともに、画像の輝度割合に応じて画素の発光時間を調整することを特徴とする電気光学装置の駆動方法。
【請求項１７】
複数の画素を備えた電気光学装置の駆動方法であって、
画像の輝度割合に応じて前記画素の発光時間を調整することを特徴とする電気光学装置の駆動方法。
【請求項１８】
前記画素の発光時間の調整は、前記画素を非発光とするタイミングを調整することにより行うことを特徴とする請求項１６又は請求項１７記載の電気光学装置の駆動方法。
【請求項１９】
前記電気光学装置は、前記書込用走査線に対応して複数の消去用走査線を備えており、
前記複数の書込用走査線の走査に対応させて前記消去用走査線を非順次に走査することを特徴とする請求項１６記載の電気光学装置の駆動方法。
【請求項２０】
前記複数の書込用走査線は、その並びの順で所定数を単位として区分されており、
前記区分毎に独立して前記書込用走査線を走査することにより、前記複数の書込用走査線を非順次に走査することを特徴とする請求項１９載の電気光学装置の駆動方法。
【請求項２１】
前記複数の消去用走査線は、対応する前記書込用走査線の区分毎に区分されており、
前記区分毎に独立して前記消去用走査線を走査することにより、前記複数の消去用走査線を非順次に走査することを特徴とする請求項２０記載の電気光学装置の駆動方法。
【請求項２２】
請求項１から請求項１５の何れか一項に記載の電気光学装置を備えたことを特徴とする電子機器。
【発明の詳細な説明】
【技術分野】
【０００１】
本発明は、電気光学装置及びその駆動方法並びに電子機器に関する。
【背景技術】
【０００２】
液晶装置に代表される電気光学装置の一種として、バックライト等を必要とせずに自発光する有機エレクトロルミネッセンス（以下、有機ＥＬという）素子を備えた有機ＥＬ装置が注目されている。有機ＥＬ素子は、対向する一対の電極間に有機ＥＬ層、即ち発光素子を備えて構成されたものであり、フルカラー表示を行う有機ＥＬ装置は、赤色（Ｒ）、緑色（Ｇ）、青色（Ｂ）の各色に対応する発光波長帯域を有する発光素子を備えている。対向する一対の電極間に電圧が印加されると、注入された電子と正孔とが発光素子内で再結合し、これより発光素子が発光する。このような有機ＥＬ装置に形成される発光素子は、通常１μｍを下回るほどの薄膜で形成される。また、有機ＥＬ装置は、発光素子そのものが発光するため、従来の液晶表示装置に用いられているようなバックライトも必要ない。従って、有機ＥＬ装置は、その厚みを極めて薄型化することができるという利点を有する。
【０００３】
ところで、表示装置として一般的に用いられているＣＲＴ（Cathode Ray Tube）においては、全表示領域に占める発光領域の割合が小さい場合には、その表示領域の輝度を高めるピーク輝度表示が行われる。例えば、打ち上げ花火の画像を表示する場合を例に挙げると、花火が輝いてる僅かな部分の輝度は、背景の殆どが白表示である場合よりも背景の殆どが黒表示である場合の方が高く設定される。これにより、表示画像にメリハリをつけることができる。以下の特許文献１及び非特許文献１には、有機ＥＬ装置において、全表示領域に占める発光領域の割合に応じて有機ＥＬ素子に印加する電圧を変化させてピーク輝度表示を実現する技術が開示されている。
【特許文献１】特開２００２−２９７０９７号公報
【非特許文献１】秋本，「インバーター回路を用いた電圧駆動型有機ＥＬディスプレイ」，第１３８回ＪＯＥＭ講演会要旨集，有機エレクトロニクス材料研究会，２００４年１月１３日，ｐ．１５−ｐ．２１
【発明の開示】
【発明が解決しようとする課題】
【０００４】
ところで、上記の文献に開示されたように、有機ＥＬ素子に印加する電圧を変化させることにより確かにピーク輝度表示を実現することができる。しかしながら、ピーク輝度表示を実現するために、有機ＥＬ素子に印加する電圧を変化させてしまうと、変化させた電圧に併せて表示画像の階調に応じた電圧を変更する必要が生ずる。
【０００５】
例えば、有機ＥＬ素子に印加する最大電圧が１０Ｖであり、表現する階調が１０階調であったとすると、有機ＥＬ素子に印加する電圧を１Ｖ単位で変化させれば１０階調の全てを表現することができる。しかしながら、ピーク輝度表示を実現するために、例えば有機ＥＬ素子に印加する最大電圧を１５Ｖに変更してしまうと、各階調を表現するためには１．５Ｖを単位として変化させなければならなくなる。以上から、従来の技術においては、信号処理が複雑になるという問題があった。また、ピーク輝度を表示を実現する場合でも、画面のちらつきを防止することは表示品質の低下を防止する観点からは必須となる。
【０００６】
本発明は、上記事情に鑑みてなされたものであり、印加する電圧を変化させることなく、全表示領域に占める発光領域の割合に応じた輝度制御を行うことができるとともに、ちらつきの発生を抑えた表示品質の高い電気光学装置及びその駆動方法、並びに当該電気光学装置を備える電子機器を提供することを目的とする。
【課題を解決するための手段】
【０００７】
上記課題を解決するために、本発明の電気光学装置は、複数の画素と、当該複数の画素のうちの所定数の画素を単位として設けられた複数の書込用走査線とを備えた電気光学装置であって、前記複数の書込用走査線を非順次に走査するとともに、表示画像の輝度割合に応じて前記画素の発光時間を調整する駆動装置を備えることを特徴としている。
この発明によると、画素の発光時間を表示画像の輝度割合（全表示領域に占める発光領域の割合）に応じて調整しているため、例えば表示画像の輝度割合が小さい場合には画素の発光時間を長くし、逆に表示画像の輝度割合が大きい場合には画素の発光時間を短くするといった駆動を行うことができる。これにより、印加する電圧を変えることなく、表示画像の輝度割合に応じた輝度制御を行うことができ、この結果としてＣＲＴのようなメリハリのある表示を行うことができるという効果がある。また、本発明によると、所定数の画素を単位として設けられた複数の書込用走査線を非順次に走査することにより、画素が設けられている領域（有効表示領域）内において発光している画素の位置を分散させているため、表示画面の輝度割合に応じた輝度制御のために画素の発光時間を調整しても、ちらつきの発生を抑制することができ、品質の高い表示を行うことが可能である。
ここで、上記の表示画像の輝度割合とは、電気光学装置の有効表示領域内に設けられる画素の全てを最大輝度で表示させた場合のそれらの輝度の積算値と、表示画像により表示すべき画像のみを表示させた場合のそれらの輝度の積算値との比をいう。つまり、個々の画素の最大輝度をＬｍａｘとし、表示画像により表示すべき画素のみを表示させた場合の個々の画素の輝度をＬｋ（ｋは表示画像により表示すべき画素の数）とすると、表示画像の輝度割合Ｌｒは以下の式で表され、０≦Ｌｒ≦１の値を取り得る。
Ｌｒ＝ΣＬｋ／ΣＬｍａｘ
また、上記の書込走査線の「非順次」の走査とは、書込走査線の並び順で順次走査を行う走査以外の走査をいう。具体的には、例えば書込走査線を複数本づつ空間的に飛ばしての走査、書込走査線を複数本づつ時間的に飛ばしての走査、書込走査線を複数本づつ空間的及び時間的に飛ばしての走査等の走査をいう。
また、本発明の電気光学装置は、複数の画素を備えた電気光学装置であって、表示画像の輝度割合に応じて前記画素の発光時間を調整する駆動装置を備えることを特徴としている。
この発明によると、画素の発光時間を表示画像の輝度割合に応じて調整しているため、例えば表示画像の輝度割合が小さい場合には画素の発光時間を長くし、逆に表示画像の輝度割合が大きい場合には画素の発光時間を短くするといった駆動を行うことができる。これにより、印加する電圧を変えることなく、表示画像の輝度割合に応じた輝度制御を行うことができ、この結果としてＣＲＴのようなメリハリのある表示を行うことができるという効果がある。
ここで、本発明の電気光学装置は、前記画素の各々に発光素子を備える有機ＥＬ装置であることを特徴としている。
或いは、本発明の電気光学装置は、前記画素の各々に画素電極を備えており、当該画素電極と対向電極との間に液晶を挟持させた液晶装置であることを特徴としている。
これらの発明によると、画素の発光時間を表示画像の輝度割合に応じて調整しているため、ＣＲＴのようなメリハリのある表示を行うことが可能な有機ＥＬ装置又は液晶装置を提供することができる。
また、本発明の電気光学装置は、前記駆動装置が、前記画素を非発光とするタイミングを調整することにより、前記画素の発光時間を調整することを特徴としている。
この発明によると、画素を非発光とするタイミングを調整することによって画素の発光時間を調整しているため、画素の駆動及び装置構成をさほど複雑化することなく表示画像の輝度割合に応じた輝度制御を行うことができる。
また、本発明の電気光学装置は、前記書込用走査線に対応して設けられた複数の消去用走査線と、前記書込用走査線が設けられる単位の前記所定数の画素毎に設けられ、前記書込用走査線及び前記消去用走査線に対して交差する方向に延びる複数のデータ線とを備え、前記駆動装置は、前記書込用走査線を介して前記画素を発光させ、前記消去用走査線を介して前記画素を非発光とすることを特徴としている。
この発明によると、書込用走査線を介して画素が発光されるとともに消去用走査線を介して画素が非発光とされることにより、画素の発光時間の調整が行われる。
ここで、本発明の電気光学装置は、前記駆動装置が、前記複数の書込用走査線の走査に対応させて前記消去用走査線を非順次に走査することを特徴としている。
この発明によると、複数の書込用走査線の走査に対応して消去用走査線が非順次に走査されるため、非順次走査を行った場合であっても容易に画素の発光時間を調整することができる。
また、本発明の電気光学装置は、前記複数の書込用走査線が、その並びの順で所定数を単位として区分されており、前記駆動装置は、前記区分毎に独立して前記書込用走査線を走査することにより、前記複数の書込用走査線を非順次に走査することを特徴としている。
この発明によると、並びの順で所定数を単位として区分された書込走査線が、この区分毎に独立して走査される。例えば、書込走査線が第１区分〜第４区分の４つに区分されているとすると、第１区分〜第４区分の各々において独立に順次走査を行うことにより、書込走査線全体としては非順次に走査することができる。具体的には、第１区分の第１書込走査線、第２区分の第１書込走査線、第３区分の第１書込走査線、及び第４区分の第１書込走査線を走査した後に、第１区分の第２書込走査線、第２区分の第２書込走査線、第３区分の第３書込走査線、及び第４区分の第３書込走査線を走査し、以下同様の走査を行うことにより、各区分内では順次走査が行われているものの、電気光学装置の有効表示領域の全体を見た場合には、書込走査線が非順次に走査されることになる。かかる走査を行うことで、書込走査線の非順次走査を容易に行うことができる。
また、本発明の電気光学装置は、前記複数の消去用走査線が、対応する前記書込用走査線の区分毎に区分されており、前記駆動装置は、前記区分毎に独立して前記消去用走査線を走査することにより、前記複数の消去用走査線を非順次に走査することを特徴としている。
この発明によると、消去用走査線が、対応する書込用走査線の区分毎に区分されているため、書込用走査線の非順次走査と同様に、消去用走査線の非順次走査も容易に行うことができる。
また、本発明の電気光学装置は、前記駆動装置が、前記区分毎に独立した前記書込用走査線及び前記消去用走査線の走査の開始タイミングを、所定の単位期間を前記区分の数で除算して得られる時間だけずらすことを特徴としている。
この発明によると、区分毎に独立した書込用走査線及び消去用走査線の走査の開始タイミングを、ある一定の時間だけずらすことで画素が発光する時間位置を分散させているため、表示画面の輝度割合に応じた輝度制御のために画素の発光時間を調整したときのちらつきの発生を更に抑制することができる。
また、本発明の電気光学装置は、前記駆動装置が、所定の単位期間を複数に分割した期間の各々で、前記書込用走査線及び前記消去用走査線の走査を行うことにより、前記所定の単位期間内において前記書込用走査線及び前記消去用走査線の各々の走査を複数回に亘って行うことを特徴としている。
この発明によると、所定の単位時間を複数に分割し、分割した各々の期間内において書込用走査線及び消去用走査線を走査することにより、所定の単位時間内で書込用走査線及び消去用走査線の各々の走査を複数回に亘って行っているため、有効表示領域内において画素が発光している画素の位置を分散させることができるとともに、その時間位置も分散させることができる。これにより、ちらつきの発生をより効果的に低減させることができる。
また、本発明の電気光学装置は、前記駆動装置が、前記所定の単位期間を複数に分割した期間の各々で、前記画素の発光時間の調整を行うことを特徴としている。
この発明によると、所定の単位期間を複数に分割した期間の各々で、表示画面の輝度割合に応じた輝度制御のための画素の発光時間が調整される。
また、本発明の電気光学装置は、前記画素の各々が、前記書込用走査線及び前記データ線からの信号に基づいて前記画素をそれぞれ発光させる駆動素子と、前記駆動素子の特性のばらつきを補償する補償回路とを備えることを特徴としている。
この発明によると、画素の各々に画素を発光させる駆動素子の特性のばらつきを補償する補償回路が設けられているため、駆動素子の特性ばらつきを補償して良好な画像表示を行うことができる。
また、本発明の電気光学装置は、前記画素が、赤色を発光する赤色画素、緑色を発光する緑色画素、及び青色を発光する青色画素を有しており、前記駆動装置は、前記赤色画素、緑色画素、及び青色画素の各々を同一の発光開始タイミングで発光させ、前記赤色画素、前記緑色画素、及び前記青色画素の各々を同一の非発光開始タイミングで非発光とすることを特徴としている。
この発明によると、赤色画素、緑色画素、及び青色画素の各々を同一の発光開始タイミングで発光させるとともに、同一の非発光開始タイミングで非発光としているため、画素の駆動及び装置構成をさほど複雑化することなく表示画像の輝度割合に応じた輝度制御を行うことができる。
また、本発明の電気光学装置は、前記駆動装置が、前記表示画像の輝度割合に対して、前記画素の輝度が非線形となるように前記画素の発光時間を調整することを特徴としている。
この発明によると、表示画像の輝度割合に対する画素の発光輝度が非線形となるように画素の発光時間が調整されるため、従来から用いられているＣＲＴのようにメリハリのある表示を自然に行うことができる。
上記課題を解決するために、本発明の電気光学装置の駆動方法は、複数の画素と、当該複数の画素のうちの所定数の画素を単位として設けられた複数の書込用走査線とを備えた電気光学装置の駆動方法であって、前記複数の書込用走査線を非順次に走査するとともに、画像の輝度割合に応じて画素の発光時間を調整することを特徴としている。
この発明によると、画素の発光時間を画像の輝度割合（全表示領域に占める発光領域の割合）に応じて調整しているため、例えば画像の輝度割合が小さい場合には画素の発光時間を長くし、逆に画像の輝度割合が大きい場合には画素の発光時間を短くするといった駆動を行うことができる。これにより、印加する電圧を変えることなく、画像の輝度割合に応じた輝度制御を行うことができ、この結果としてＣＲＴのようなメリハリのある表示を行うことができるという効果がある。また、本発明によると、所定数の画素を単位として設けられた複数の書込用走査線を非順次に走査することにより、画素が設けられている領域（有効表示領域）内において画素が発光している画素の位置を分散させているため、表示画面の輝度割合に応じた輝度制御のために画素の発光時間を調整しても、ちらつきの発生を抑制することができ、品質の高い表示を行うことが可能である。
また、本発明の電気光学装置の駆動方法は、複数の画素を備えた電気光学装置の駆動方法であって、画像の輝度割合に応じて前記画素の発光時間を調整することを特徴としている。
この発明によると、画素の発光時間を画像の輝度割合に応じて調整しているため、例えば画像の輝度割合が小さい場合には画素の発光時間を長くし、逆に画像の輝度割合が大きい場合には画素の発光時間を短くするといった駆動を行うことができる。これにより、印加する電圧を変えることなく、画像の輝度割合に応じた輝度制御を行うことができ、この結果としてＣＲＴのようなメリハリのある表示を行うことができるという効果がある。
また、本発明の電気光学装置の駆動方法は、前記画素の発光時間の調整は、前記画素を非発光とするタイミングを調整することにより行うことを特徴としている。
発明によると、画素を非発光とするタイミングを調整することによって画素の発光時間を調整しているため、画素の駆動及び装置構成をさほど複雑化することなく画像の輝度割合に応じた輝度制御を行うことができる。
また、本発明の電気光学装置の駆動方法は、前記電気光学装置が、前記書込用走査線に対応して複数の消去用走査線を備えており、前記複数の書込用走査線の走査に対応させて前記消去用走査線を非順次に走査することを特徴としている。
この発明によると、複数の書込用走査線の走査に対応して消去用走査線が非順次に走査されるため、非順次走査を行った場合であっても容易に画素の発光時間を調整することができる。
また、本発明の電気光学装置の駆動方法は、前記複数の書込用走査線が、その並びの順で所定数を単位として区分されており、前記区分毎に独立して前記書込用走査線を走査することにより、前記複数の書込用走査線を非順次に走査することを特徴としている。
この発明によると、並びの順で所定数を単位として区分された書込走査線が、この区分毎に独立して走査される。かかる走査を行うことで、例えば各区分内では順次走査を行っているが、電気光学装置の有効表示領域の全体を見た場合には、書込走査線が非順次に走査されているといった具合に、書込走査線の非順次走査を容易に行うことができる。
また、本発明の電気光学装置の駆動方法は、前記複数の消去用走査線が、対応する前記書込用走査線の区分毎に区分されており、前記区分毎に独立して前記消去用走査線を走査することにより、前記複数の消去用走査線を非順次に走査することを特徴としている。
この発明によると、消去用走査線が、対応する書込用走査線の区分毎に区分されているため、書込用走査線の非順次走査と同様に、消去用走査線の非順次走査も容易に行うことができる。
本発明の電子機器は、上記の何れかに記載の電気光学装置を備えたことを特徴としている。
この構成によれば、良好な表示特性を有する電子機器を提供することができる。
【発明を実施するための最良の形態】
【０００８】
以下、図面を参照して本発明の実施形態による電気光学装置及びその駆動方法並びに電子機器について詳細に説明する。尚、以下に説明する実施形態は、本発明の一部の態様を示すものであり、本発明を限定するものではなく、本発明の技術的思想の範囲内で任意に変更可能である。また、以下に示す各図においては、各層や各部材を図面上で認識可能な程度の大きさとするため、各層や各部材毎に縮尺を異ならせてある。
【０００９】
〔第１実施形態〕
図１は、本発明の第１実施形態による電気光学装置の電気的構成を示すブロック図である。尚、以下では、電気光学装置として有機ＥＬ装置を例に挙げて説明を進める。図１に示す通り、本実施形態の電気光学装置としての有機ＥＬ装置１は、周辺駆動装置２と表示パネル部３とを含んで構成される。周辺駆動装置２は、ＣＰＵ（中央処理装置）４、主記憶部５、グラフィックコントローラ６、ルックアップテーブル（ＬＵＴ）７、タイミングコントローラ８、及びビデオＲＡＭ（ＶＲＡＭ）９を含んで構成される。尚、ＣＰＵ４に変えてＭＰＵ（演算処理装置）を備える構成であっても良い。また、表示パネル部３は、表示パネル１１、書き込み用走査ドライバ１２、消去用走査ドライバ１３、及びデータドライバ１４を含んで構成される。
【００１０】
周辺駆動装置２が備えるＣＰＵ（中央処理装置）は、主記憶部５に記憶された画像データを読み出し、主記憶部５を用いて展開処理等の各種処理を行ってグラフィックコントローラ６に出力する。グラフィックコントローラ６は、ＣＰＵ４から出力された画像データを元に表示パネル部３に対応した画像データ及び同期信号（垂直同期信号、水平同期信号）を生成する。グラフィックコントローラ６はデータ生成部６ａで生成した画像データをＶＲＡＭ９に転送し、生成した同期信号をタイミングコントローラ８に出力する。
【００１１】
また、グラフィックコントローラ６の輝度情報解析部６ｂはＣＰＵ４から出力された画像データを元に画像データの輝度割合を算出する。ここで、画像データの輝度割合とは、表示パネル１１に設けられる画素（詳細は後述する）の全てを最大輝度で表示させた場合のそれらの輝度の積算値と、画像データにより表示すべき画素のみを表示させた場合のそれらの輝度の積算値との比をいう。
【００１２】
つまり、個々の画素の最大輝度をＬｍａｘとし、画像データにより表示すべき画素のみを表示させた場合の個々の画素の輝度をＬｋ（ｋは画像データにより表示すべき画素の数）とすると、画像データの輝度割合Ｌｒは以下の式で表され、０≦Ｌｒ≦１の値を取り得る。
Ｌｒ＝ΣＬｋ／ΣＬｍａｘ
【００１３】
尚、表示パネル１１に設けられる画素の全てを最大輝度で表示させた場合、即ち画像データの輝度割合Ｌｒが「１」である場合には、表示パネル１１には最も明るい白色表示がなされる。画像データの輝度割合Ｌｒが「１」に近づくにつれて発光する画素数が多くなって発光面積が大きくなり、表示パネル１１の全体が白色表示されることになる。逆に、画像データの輝度割合Ｌｒが「０」に近づくにつれて発光する画素数が少なくなって発光面積が小さくなり、表示パネル１１の殆どは黒色表示がなされていることになる。
【００１４】
また、輝度情報解析部６ｂは、算出した画像データの輝度割合とルックアップテーブル７に格納されている内容とに基づいて、画素の発光している有機ＥＬ素子（詳細は後述）の発光時間を調整するための制御信号を生成する。グラフィックコントローラ６は輝度情報解析部６ｂで生成した制御信号を上記の同期信号とともにタイミングコントローラ８に出力する。ルックアップテーブル７には、画像データの輝度割合に対する有機ＥＬ素子の発光時間を規定するデータが格納されている。尚、ルックアップテーブル７に格納されたデータに基づいた有機ＥＬ素子の発光時間の制御についての詳細は後述する。
【００１５】
ＶＲＡＭ９は、グラフィックコントローラ６から出力された画像データを表示パネル部３のデータドライバ１４に出力し、タイミングコントローラ８は水平同期信号を表示パネル部３のデータドライバ１４に出力するとともに、垂直同期信号を表示パネル部３の書き込み用走査ドライバ１２に出力する。更に、タイミングコントローラ８は、表示パネル１１に設けられた有機ＥＬ素子を非発光とするための消去用の走査信号を表示パネル部３の消去用走査ドライバ１３に出力する。尚、ＶＲＡＭ９からの画像データとタイミングコントローラ８からの各種信号とは同期が取られて表示パネル１１に出力される。
【００１６】
［表示パネル部３］
図２は、本発明の第１実施形態による電気光学装置が備える表示パネル部の構成を示すブロック図である。図２に示す通り、表示パネル部３の表示パネル１１は、行方向に沿って延びる４ｎ本（ｎは自然数）の書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎと、これらの書き込み用走査線に対応して設けられており行方向に沿って延びる４ｎ本の消去用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎとを備えている。つまり、本実施形態では、４ｎ本の書き込み用走査線及び４ｎ本の消去用走査線がｎ本を単位として４つに区分されている。これら書き込み用走査線及び消去用走査線を区分するのは、これらの非順次走査を容易にするためである。尚、書き込み用走査線及び消去用走査線の走査方法の詳細については後述する。また、表示パネル１１は、行方向に交差する列方向に沿って延びる３ｍ本（ｍは自然数）のデータ線Ｘ１〜Ｘ３ｍを備えている。
【００１７】
更に、表示パネル１１には、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎ（消去用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎ）とデータ線Ｘ１〜Ｘ３ｍとの交差部に対応する位置に複数の画素２０を有している。つまり、各画素２０は、行方向に沿って延びる複数の書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎ（消去用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎ）と、列方向に沿って延びる複数のデータ線Ｘ１〜Ｘ３ｍとの交点にそれぞれ配置され電気的に接続されることによりマトリクス状に配列されている。
【００１８】
図３は、本発明の第１実施形態による電気光学装置が備える表示パネルの左上隅に位置する画素２０の構成を示す回路図である。図３に示す通り、表示パネル１１の左上隅に位置する画素２０は、赤色の光を放射する画素２０Ｒと、発光層から緑色の光を放射する画素２０Ｇと、発光層から青色の光を放射する画素２０Ｂとを有している。尚、表示パネル１１に設けられる他の画素も以下に説明する画素２０Ｒ，２０Ｇ，２０Ｂから構成されている。
【００１９】
画素２０Ｒには、書き込み用走査線ＹＷ１１を介して書き込み用の走査信号がゲート電極に供給されるスイッチング用ＴＦＴ２１と、このスイッチング用ＴＦＴ２１を介してデータ線Ｘ１から供給される画素信号を保持する保持容量２２と、保持容量２２によって保持された画素信号がゲート電極に供給される駆動用ＴＦＴ２３と、この駆動用ＴＦＴ２３を介して電源線Ｌｒに電気的に接続したときに電源線Ｌｒから駆動電流が流れ込む画素電極（電極）２４と、この画素電極２４と共通電極２６との間に挟み込まれた有機ＥＬ素子２５Ｒとが設けられている。また、消去用走査線ＹＥ１１を介して消去用の走査信号がゲート電極に供給されるスイッチング用ＴＦＴ２７が設けられている。このスイッチング用ＴＦＴのソース電極は電源線Ｌｒに接続され、ドレイン電極はスイッチング用ＴＦＴ２１、保持容量２２、及び駆動用ＴＦＴ２３の接続点Ｐ１に接続されている。
【００２０】
画素２０Ｇには、書き込み用走査線ＹＷ１１を介して書き込み用の走査信号がゲート電極に供給されるスイッチング用ＴＦＴ２１と、このスイッチング用ＴＦＴ２１を介してデータ線Ｘ２から供給される画素信号を保持する保持容量２２と、保持容量２２によって保持された画素信号がゲート電極に供給される駆動用ＴＦＴ２３と、この駆動用ＴＦＴ２３を介して電源線Ｌｇに電気的に接続したときに電源線Ｌｇから駆動電流が流れ込む画素電極（電極）２４と、この画素電極２４と共通電極２６との間に挟み込まれた有機ＥＬ素子２５Ｇとが設けられている。また、消去用走査線ＹＥ１１を介して消去用の走査信号がゲート電極に供給されるスイッチング用ＴＦＴ２７が設けられている。このスイッチング用ＴＦＴのソース電極は電源線Ｌｇに接続され、ドレイン電極はスイッチング用ＴＦＴ２１、保持容量２２、及び駆動用ＴＦＴ２３の接続点Ｐ１に接続されている。
【００２１】
同様に、画素２０Ｂには、書き込み用走査線ＹＷ１１を介して書き込み用の走査信号がゲート電極に供給されるスイッチング用ＴＦＴ２１と、このスイッチング用ＴＦＴ２１を介してデータ線Ｘ３から供給される画素信号を保持する保持容量２２と、保持容量２２によって保持された画素信号がゲート電極に供給される駆動用ＴＦＴ２３と、この駆動用ＴＦＴ２３を介して電源線Ｌｂに電気的に接続したときに電源線Ｌｂから駆動電流が流れ込む画素電極（電極）２４と、この画素電極２４と共通電極２６との間に挟み込まれた有機ＥＬ素子２５Ｂとが設けられている。また、消去用走査線ＹＥ１１を介して消去用の走査信号がゲート電極に供給されるスイッチング用ＴＦＴ２７が設けられている。このスイッチング用ＴＦＴのソース電極は電源線Ｌｂに接続され、ドレイン電極はスイッチング用ＴＦＴ２１、保持容量２２、及び駆動用ＴＦＴ２３の接続点Ｐ１に接続されている。
【００２２】
上記構成の画素２０において、書き込み用走査線ＹＷ１１が駆動されてスイッチング用ＴＦＴ２１がオン状態になると、そのときのデータ線Ｘ１〜Ｘ３の電位が画素２０Ｒ，２０Ｇ，２０Ｂの保持容量２２にそれぞれ保持される。次いで、各保持容量２２の状態に応じて、画素２０Ｒ，２０Ｇ，２０Ｂに設けられた駆動用ＴＦＴ２３各々のオン・オフ状態が決まる。そして、駆動用ＴＦＴ２３のチャネルを介して電源線Ｌｒ，Ｌｇ，Ｌｂの各々から各画素２０Ｒ，２０Ｇ，２０Ｂの画素電極２４にそれぞれ電流が流れ、有機ＥＬ素子２５Ｒ，２５Ｇ，２５Ｂの各々を介して共通電極２６に電流が流れる。すると、有機ＥＬ素子２５Ｒ，２５Ｇ，２５Ｂは流れる電流量に応じて発光する。
【００２３】
また、書き込み用走査線ＹＷ１１が駆動されてない状態で、消去用走査線ＹＥ１１が駆動されて画素２０Ｒ，２０Ｇ，２０Ｂに設けられたスイッチング用ＴＦＴ２７の各々がオン状態になると、各画素２０Ｒ，２０Ｇ，２０Ｂにおける接続点Ｐ１の電位は電源線Ｌｒ，Ｌｇ，Ｌｂの電位とそれぞれ同電位になり、保持容量２２の電位差が「０」になるとともに駆動用ＴＦＴ２３がオン状態にある場合にはオフ状態となる。これにより、各画素２０Ｒ，２０Ｇ，２０Ｂに設けられた保持容量２２の各々にデータ線Ｘ１〜Ｘ３の電位が保持されており、有機ＥＬ素子２５Ｒ，２５Ｇ，２５Ｂの各々が発光していたとしても、消去用走査線ＹＥ１１が駆動されると保持容量２２の電位差が「０」になって有機ＥＬ素子２５Ｒ，２５Ｇ，２５Ｂは非発光状態（オフ状態）になる。
【００２４】
図２に戻り、表示パネル１１には、列方向に沿って複数の電源線Ｌｒ，Ｌｇ，Ｌｂが画素２０Ｒ，２０Ｇ，２０Ｂに隣接して配線されている。これらの電源線Ｌｒ，Ｌｇ，Ｌｂには、電源供給線ＬＲ，ＬＧ，ＬＢをそれぞれ介して駆動電圧ＶＥＲ，ＶＥＧ，ＶＥＢが供給される。尚、本実施形態では、有機ＥＬ素子２５Ｒ，２５Ｇ，２５Ｂの各々に対して異なる駆動電圧ＶＥＲ，ＶＥＧ，ＶＥＢを印加しているが、電源線Ｌｒ，Ｌｇ，Ｌｂ及び電源供給線ＬＲ，ＬＧ，ＬＢを共通化して有機ＥＬ素子２５Ｒ，２５Ｇ，２５Ｂの各々に同一の駆動電圧を印加して駆動しても良い。
【００２５】
［周辺駆動装置２］
次に、周辺駆動装置２について説明する。前述した通り、周辺駆動装置２は、表示パネル部３に対して画像データ及び同期信号を出力する訳であるが、これらを基本クロック信号ＣＬＫに同期させて出力する。図４は本発明の第１実施形態における表示パネル部３のデータドライバ１４に関する信号のタイミングチャートであり、図５は同実施形態における書き込み用走査ドライバ１２に関する信号のタイミングチャートである。図４に示す通り、周辺駆動装置２は、データドライバスタートパルスＳＰＸ、データドライバクロック信号ＣＬＸ、及びデータドライバクロック反転信号ＣＢＸを生成して表示パネル部３に設けられたデータドライバ１４に出力する。
【００２６】
データドライバスタートパルスＳＰＸは、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎの一つを選択する毎に出力され、その選択した一つの書き込み用走査線上の各画素２０を図２において左から右へ点順次で選択するための信号である。データドライバクロック信号ＣＬＸ及びデータドライバクロック反転信号ＣＢＸは、相補信号であって上記のデータドライバスタートパルスＳＰＸを順番にシフトさせるための信号である。本実施形態では、画素２０は、赤用の画素２０Ｒ、緑用の画素２０Ｇ、青用の画素２０Ｂを一つの組としている。そして、データドライバクロック信号ＣＬＸ、データドライバクロック反転信号ＣＢＸに応答して１組を１単位としてデータドライバスタートパルスＳＰＸがシフトされて、図２において左から右に順番に１組の画素２０Ｒ，２０Ｇ，２０Ｂを選択するようになっている。
【００２７】
また、周辺駆動装置２は、基本クロック信号ＣＬＫに基づいて、図５のタイミングチャートに示す通り、書き込み用走査ドライバスタートパルスＳＰＹＷ１〜ＳＰＹＷ４、書き込み用走査ドライバクロック信号ＣＬＹＷ、及び書き込み用走査ドライバクロック反転信号ＣＢＹＷを生成してデータドライバ１４に出力する。書き込み用走査ドライバスタートパルスＳＰＹＷ１は、書き込み用走査線ＹＷ１１〜ＹＷ１ｎを上から下に線順次で選択する際の最も上の走査線ＹＷ１１を選択する際に出力される信号である。同様に、書き込み用走査ドライバスタートパルスＳＰＹＷ２〜ＳＰＹＷ４は、書き込み用走査線ＹＷ２１〜ＹＷ２ｎ，ＹＷ３１〜ＹＷ３ｎ，ＹＷ４１〜ＹＷ４ｎの各々を上から下に線順次で選択する際の最も上の走査線ＹＷ２１，ＹＷ３１，ＹＷ４１をそれぞれ選択する際に出力される信号である。書き込み用走査ドライバクロック信号ＣＬＹＷ及び書き込み用走査ドライバクロック反転信号ＣＢＹＷは、相補信号であって、線順次で書き込み用走査線を選択するために書き込み用走査ドライバスタートパルスＳＰＹＷ１〜ＳＰＹＷ４を順番にシフトさせるための信号である。
【００２８】
周辺駆動装置２は、主記憶部５に記憶されている画像データに基づいて、各画素２０（２０Ｒ，２０Ｇ，２０Ｂ）の赤用アナログ画像信号ＶＡＲ、緑用アナログ画像信号ＶＡＧ、及び青用アナログ画像信号ＶＡＢを生成する。周辺駆動装置２は、生成したこれらアナログ画像信号ＶＡＲ，ＶＡＧ，ＶＡＢを前述したデータドライバクロック信号ＣＬＸ及びデータドライバクロック反転信号ＣＢＸに同期してデータドライバ１４に出力する。つまり、周辺駆動装置２は、データドライバクロック信号ＣＬＸ及びデータドライバクロック反転信号ＣＢＸに同期して選択された走査線上の各画素２０（２０Ｒ，２０Ｇ，２０Ｂ）であって左から右に順番に点順次に選択画素のアナログ画像信号ＶＡＲ，ＶＡＧ，ＶＡＢを出力する。アナログ画像信号ＶＡＲ，ＶＡＧ，ＶＡＢは、所定範囲の値を取り得るアナログ信号であって、対応する画素２０の有機ＥＬ素子２５Ｒ，２５Ｇ，２５Ｂの発光輝度を決定する信号である。
【００２９】
また、周辺駆動装置２は、基本クロック信号ＣＬＫに基づいて、図２に示す通り、消去用走査ドライバスタートパルスＳＰＹＥ１〜ＳＰＹＥ４、並びに、消去用書き込み用走査ドライバクロック信号ＣＬＹＥ及び消去用走査ドライバクロック反転信号ＣＢＹＥを生成して消去用走査ドライバ１３に出力する。消去用走査ドライバスタートパルスＳＰＹＥ１は、消去用走査線ＹＥ１１〜ＹＥ１ｎを上から下に線順次で選択する際の最も上の消去用走査線ＹＥ１１を選択する際に出力される信号である。同様に、消去用走査ドライバスタートパルスＳＰＹＥ２〜ＳＰＹＥ４は、消去用走査線ＹＥ２１〜ＹＥ２ｎ，ＹＥ３１〜ＹＥ３ｎ，ＹＥ４１〜ＹＥ４ｎの各々を上から下に線順次で選択する際の最も上の走査線ＹＥ２１，ＹＥ３１，ＹＥ４１をそれぞれ選択する際に出力される信号である。消去用書き込み用走査ドライバクロック信号ＣＬＹＥ及び消去用走査ドライバクロック反転信号ＣＢＹＥは、相補信号であって、線順次で消去用走査線を選択するために消去用走査ドライバスタートパルスＳＰＹＥ１〜ＳＰＹＥ４を順番にシフトさせるための信号である。
【００３０】
更に、周辺駆動装置２は、基本クロックＣＬＫに基づいて、図２に示す通り、書き込み選択信号ＳＥＬＷ１，２を生成して書き込み用走査ドライバ１２に出力するとともに、消去選択信号ＳＥＬＥ１，２を生成して消去用走査ドライバ１３に出力する。書き込み選択信号ＳＥＬＷ１，２は、４つに区分された書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎのうち、走査を行う書き込み用走査線が属する区分を選択する信号である。同様に、消去選択信号ＳＥＬＥ１，２は、４つに区分された消去用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎのうち、走査を行う消去用走査線が属する区分を選択する信号である。
【００３１】
図５に示す通り、書き込み選択信号ＳＥＬＷ１は、書き込み用走査ドライバクロック信号ＣＬＹＷ及び書き込み用走査ドライバクロック反転信号ＣＢＹＷの半周期の信号（２倍の周波数を有する信号）である。また、書き込み選択信号ＳＥＬＷ２は、書き込み用走査ドライバクロック信号ＣＬＹＷ及び書き込み用走査ドライバクロック反転信号ＣＢＹＷの１／４周期の信号（４倍の周波数を有する信号）である。尚、消去選択信号ＳＥＬＥ１は書き込み選択信号ＳＥＬＷ１の周期と同じ周期を有する信号であり、消去選択信号ＳＥＬＥ２は書き込み選択信号ＳＥＬＷ２の周期と同じ周期を有する信号である。
【００３２】
周辺駆動装置２は、フレームの各々において、前述した書き込み用走査ドライバスタートパルスＳＰＹＷ１〜ＳＰＹＷ４を書き込み用走査ドライバ１２に出力した後に、消去用走査ドライバスタートパルスＳＰＹＥ１〜ＳＰＹＥ４を所定のタイミングで消去用走査ドライバ１３に出力する。これにより、各画素２０に設けられた有機ＥＬ素子２５Ｒ，２５Ｇ，２５Ｂを非発光とする（消去する）ことで、有機ＥＬ素子２５Ｒ，２５Ｇ，２５Ｂ各々の発光時間を調整する。
【００３３】
［書き込み用走査ドライバ１２及び消去用走査ドライバ１３］
次に、書き込み用走査ドライバ１２及び消去用走査ドライバ１３について説明する。図６は、本発明の第１実施形態による電気光学装置が備える書き込み用走査ドライバ１２の構成を示す回路図である。図６に示す通り、書き込み用走査ドライバ１２は、周辺駆動装置２からの書き込み用走査ドライバスタートパルスＳＰＹＷ１〜ＳＰＹＷ４、書き込み用走査ドライバクロック信号ＣＬＹＷ及び書き込み用走査ドライバクロック反転信号ＣＢＹＷ、並びに書き込み選択信号ＳＥＬＷ１，２を入力としている。
【００３４】
書き込み用走査ドライバ１２は、シフトレジスタ１２ａ〜１２ｄ、選択回路１２ｅ、及びレベルシフタ１２ｆを含んで構成される。シフトレジスタ１２ａ〜１２ｄは内部構成がほぼ同一であり、各々に書き込み用走査ドライバクロック信号ＣＬＹＷ及び書き込み用走査ドライバクロック反転信号ＣＢＹＷが入力されている。但し、シフトレジスタ１２ａ〜１２ｄには、書き込み用走査ドライバスタートパルスＳＰＹＷ１〜ＳＰＹＷ４がそれぞれ入力されている点が異なる。以下、シフトレジスタ１２ａを例に挙げて、その内部構成及び動作を説明する。シフトレジスタ１２ａは、図６に示す通り、書き込み用走査線ＹＷ１１〜ＹＷ１ｎに対応したｎ個の保持回路３０を備えている。尚、図６においては、図示の都合上、３個の保持回路３０のみを図示している。各保持回路３０は、インバータ回路３１、ラッチ部３２、ＮＡＮＤ回路３３、及びインバータ回路３４を含んで構成される。
【００３５】
奇数段目の保持回路３０のインバータ回路３１には書き込み用走査ドライバクロック反転信号ＣＢＹＷが、偶数段目の保持回路３０のインバータ回路３１には書き込み用走査ドライバクロック信号ＣＬＹＷが同期信号として入力される。奇数段目の保持回路３０のインバータ回路３１は、書き込み用走査ドライバクロック反転信号ＣＢＹＷの立ち上がりに応答して書き込み用走査ドライバスタートパルスＳＰＹＷ１を入力しラッチ部３２に出力する。偶数段目の保持回路３０のインバータ回路３１は、書き込み用走査ドライバクロック信号ＣＬＹＷの立ち上がりに応答して書き込み用走査ドライバスタートパルスＳＰＹＷ１を入力しラッチ部３２に出力する。
【００３６】
各保持回路３０のラッチ部３２は、２個のインバータ回路からなり、奇数段目の保持回路３０のラッチ部３２には書き込み用走査ドライバクロック信号ＣＬＹＷが、偶数段目の保持回路３０のラッチ部３２には書き込み用走査ドライバクロック反転信号ＣＢＹＷが同期信号として入力される。奇数段目の保持回路３０のラッチ部３２は、書き込み用走査ドライバクロック信号ＣＬＹＷの立ち上がりに応答してインバータ回路３１からの書き込み用走査ドライバスタートパルスＳＰＹＷ１を入力し保持する。偶数段目の保持回路３０のラッチ部３２は、書き込み用走査ドライバクロック反転信号ＣＢＹＷの立ち上がりに応答してインバータ回路３１からの書き込み用走査ドライバスタートパルスＳＰＹＷ１を入力し保持する。各ラッチ部３２は、保持した書き込み用走査ドライバスタートパルスＳＰＹＷ１を次段の保持回路３０のインバータ回路３１に出力する。従って、周辺駆動装置２から出力されたＨレベルの書き込み用走査ドライバスタートパルスＳＰＹＷ１は、書き込み用走査ドライバクロック信号ＣＬＹＷ及び書き込み用走査ドライバクロック反転信号ＣＢＹＷに同期して、書き込み用走査線ＹＷ１１の保持回路３０から順番に書き込み用走査線ＹＷ１ｎの保持回路３０までシフトされていく。
【００３７】
保持回路３０に設けたＮＡＮＤ回路３３は、一方の入力端子がラッチ部３２の出力端子に接続され、他方の入力端子が次段の保持回路３０に設けたラッチ部３２の出力端子と接続されている。従って、各保持回路３０のＮＡＮＤ回路３３は、その保持回路３０及び次段の保持回路３０のラッチ部３２がＨレベルの書き込み用走査ドライバスタートパルスＳＰＹＷ１を保持するとＬレベルの信号を出力する。そして、ＮＡＮＤ回路３３は、その保持回路３０のラッチ部３２がその書き込み用走査ドライバスタートパルスＳＰＹＷ１をシフトさせるとＨレベルの信号を出力する。以後、新たな書き込み用走査ドライバスタートパルスＳＰＹＷ１をラッチ部３２がそれぞれ保持するまで、ＮＡＮＤ回路３３はＨレベルの信号を出力する。ＮＡＮＤ回路３３から出力される信号はインバータ回路３４で論理が反転される。これにより図５に示す信号Ｕ１〜Ｕ３，…が生成される。尚、シフトレジスタ１２ｂ〜１２ｄは、シフトレジスタ１２ａと同様の構成であり、動作も同様であるため、その説明は省略する。
【００３８】
シフトレジスタ１２ａ〜１２ｄが備える各保持回路３０のインバータ回路３４からの信号Ｕ１〜Ｕ３，…は、選択回路１２ｅに出力される。選択回路１２ｅは、図６に示す通り、インバータ回路３５ａ，３５ｂと、シフトレジスタ１２ａ〜１２ｄが備える保持回路３０の各々に対応した４ｎ個の切換回路３６とを備えている。インバーター回路３５ａは書き込み選択信号ＳＥＬＷ１の論理を反転し、インバーター回路３５ｂは書き込み選択信号ＳＥＬＷ２の論理を反転するために設けられている。切換回路３６は、ＮＯＲ回路３６ａとＮＡＮＤ回路３６ｂとから構成される。
【００３９】
選択回路１２ｅが備える切換回路３６のうち、シフトレジスタ１２ａの各保持回路３０に対応して設けられる切換回路３６をなすＮＯＲ回路３６ａは、一方の入力端にインバータ回路３５ａの出力が入力され、他方の入力端にインバータ回路３５ｂの出力が入力される。また、シフトレジスタ１２ｂの各保持回路３０に対応して設けられる切換回路３６をなすＮＯＲ回路３６ａは、一方の入力端にインバータ回路３５ａの出力が入力され、他方の入力端に書き込み選択信号ＳＥＬＷ１が入力される。また、シフトレジスタ１２ｃの各保持回路３０に対応して設けられる切換回路３６をなすＮＯＲ回路３６ａは、一方の入力端に書き込み選択信号ＳＥＬＷ１が入力され、他方の入力端にインバータ回路３５ｂの出力が入力される。更に、シフトレジスタ１２ｄの各保持回路３０に対応して設けられる切換回路３６をなすＮＯＲ回路３６ａは、一方の入力端に書き込み選択信号ＳＥＬＷ１が入力され、他方の入力端に書き込み選択信号ＳＥＬＷ２が入力される。
【００４０】
よって、図５に示す通り、書き込み選択信号ＳＥＬＷ１，２の組み合わせを選択することにより、シフトレジスタ１２ａに対応したｎ個の切換回路３６が備えるＮＯＲ回路３６ａの出力Ｓ１のみをＨレベルにし（選択期間Ｔ１１）、シフトレジスタ１２ｂに対応したｎ個の切換回路３６が備えるＮＯＲ回路３６ａの出力Ｓ２のみをＨレベルにすることができる（選択期間Ｔ１２）。また、シフトレジスタ１２ｃに対応したｎ個の切換回路３６が備えるＮＯＲ回路３６ａの出力Ｓ３のみをＨレベルにし（選択期間Ｔ１３）、シフトレジスタ１２ｄに対応したｎ個の切換回路３６が備えるＮＯＲ回路３６ａの出力Ｓ４のみをＨレベルにすることができる（期間Ｔ１４）。これにより、本実施形態では、書き込み用走査ドライバクロック信号ＣＬＹＷ及び書き込み用走査ドライバクロック反転信号ＣＢＹＷの半分の周期Ｔ１０で４本の走査線が走査されることになる。ＮＡＮＤ回路３６ｂは、一方の入力端が対応するＮＯＲ回路３６ａの出力端と接続されており、他方の入力端が対応する保持回路３０が備えるインバータ回路３４の出力端と接続されている。従って、ＮＯＲ回路３６ａは、ＮＡＮＤ回路３６ｂのゲート回路として動作する。各切換回路３６からの出力は、レベルシフタ１２ｆに出力される。
【００４１】
レベルシフタ１２ｆは、図６に示す通り、保持回路３０の各々に対応した４ｎ個のバッファ回路３７を備えている。これらのバッファ回路３７は、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎにそれぞれ接続されている。従って、バッファ回路３７は、対応する保持回路３０から出力される信号を、書き込み用走査信号ＳＣｗ１１〜ＳＣｗ１ｎ，ＳＣｗ２１〜ＳＣｗ２ｎ，ＳＣｗ３１〜ＳＣｗ３ｎ，ＳＣｗ４１〜ＳＣｗ４ｎとして書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎのそれぞれに出力する。レベルシフタ１２ｆは、書き込み用走査信号ＳＣｗ１１〜ＳＣｗ１ｎによって書き込み用走査線ＹＷ１１〜ＹＷ１ｎを上から順番に下まで線順次で選択し、書き込み用走査信号ＳＣｗ２１〜ＳＣｗ２ｎによって書き込み用走査線ＹＷ２１〜ＹＷ２ｎを上から順番に下まで線順次で選択し、書き込み用走査信号ＳＣｗ３１〜ＳＣｗ３ｎによって書き込み用走査線ＹＷ３１〜ＹＷ３ｎを上から順番に下まで線順次で選択し、書き込み用走査信号ＳＣｗ４１〜ＳＣｗ４ｎによって書き込み用走査線ＹＷ４１〜ＹＷ４ｎを上から順番に下まで線順次で選択する。これにより、画像データに応じたデータ電流Ｉｄ１〜Ｉｄ３ｍが、選択した書き込み用走査線に接続された画素２０にそれぞれ書き込まれる。
【００４２】
消去用走査ドライバ１３は、図２に示す通り、周辺駆動装置２からの消去用走査ドライバスタートパルスＳＰＹＥ１〜ＳＰＹＥ４、消去用走査ドライバクロック信号ＣＬＹＥ及び消去用走査ドライバクロック反転信号ＣＢＹＥ、並びに消去選択信号ＳＥＬＥ１，２を入力としている。この消去用走査ドライバ１３は、シフトレジスタ１３ａ〜１３ｄ、選択回路１３ｅ、及びレベルシフタ１３ｆを含んで構成される。消去用走査ドライバ１３に設けられるシフトレジスタ１３ａ〜１３ｄは、書き込み用走査ドライバ１２に設けられる図６に示すシフトレジスタ１２ａ〜１２ｄと同様の構成である。また、消去用走査ドライバ１３に設けられる選択回路１３ｅ及びレベルシフタ１３ｆは、書き込み用走査ドライバ１２に設けられる図６に示す選択回路１２ｅ及びレベルシフタ１２ａとそれぞれ同様の構成である。尚、シフトレジスタ１３ａ〜１３ｄ、選択回路１３ｅ、及びレベルシフタ１３ｆの動作は、シフトレジスタ１２ａ〜１２ｄ、選択回路１２ｅ、及びレベルシフタ１２ｆと同様であるため説明を省略する。
【００４３】
［データドライバ１４］
次に、データドライバ１４について説明する。図７は、本発明の第１実施形態の電気光学装置が備えるデータドライバ１４の構成を示す回路図である。図７に示す通り、データドライバ１４は、周辺駆動装置２からのデータドライバスタートパルスＳＰＸ、データドライバクロック信号ＣＬＸ、及びデータドライバクロック反転信号ＣＢＸを入力する。また、データドライバ１４は、周辺駆動装置２から赤用アナログ画像信号ＶＡＲ、緑用アナログ画像信号ＶＡＧ、及び青用アナログ画像信号ＶＡＢを入力する。そして、データドライバ１４は、これら各信号に基づいて各データ線Ｘ１〜Ｘ３ｍに書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎの選択動作に同期してデータ線Ｘ１〜Ｘ３ｍの各々を駆動するためのデータ電流Ｉｄ１〜Ｉｄ３ｍを供給する。
【００４４】
図７に示す通り、データドライバ１４は、シフトレジスタ１４ａ及び複数（３ｍ個）のトランジスタ１４ｂを含んで構成される。シフトレジスタ１４ａは、３ｍ本のデータ線Ｘ１〜Ｘ３ｍであって３本のデータ線を１組としその組数に対応した数（ｍ個）の保持回路４０を有している。尚、図７では、説明の便宜上、３個の保持回路４０のみを図示している。各保持回路４０は、インバータ回路４１、ラッチ部４２、ＮＡＮＤ回路４３、及びインバータ回路４４から構成されている。
【００４５】
各保持回路４０のインバータ回路４１は、奇数段目の保持回路４０のインバータ回路４１にはデータドライバクロック信号ＣＬＸが、偶数段目の保持回路４０のインバータ回路４１にはデータドライバクロック反転信号ＣＢＸが同期信号として入力される。奇数段目の保持回路４０のインバータ回路４１は、データドライバクロック信号ＣＬＸの立ち上がりに応答してデータドライバスタートパルスＳＰＸを入力しラッチ部４２に出力する。偶数段目の保持回路４０のインバータ回路４１は、データドライバクロック反転信号ＣＢＸの立ち上がりに応答してデータドライバスタートパルスＳＰＸを入力しラッチ部４２に出力する。
【００４６】
各保持回路４０のラッチ部４２は、２個のインバータ回路からなり、奇数段目の保持回路４０のラッチ部４２にはデータドライバクロック反転信号ＣＢＸが、偶数段目の保持回路４０のラッチ部４２にはデータドライバクロック信号ＣＬＸが同期信号として入力される。奇数段目の保持回路４０のラッチ部４２は、データドライバクロック反転信号ＣＢＸの立ち上がりに応答してインバータ回路４１からのデータドライバスタートパルスＳＰＸを入力し保持する。偶数段目の保持回路４０のラッチ部４２は、データドライバクロック信号ＣＬＸの立ち上がりに応答してインバータ回路４１からのデータドライバスタートパルスＳＰＸを入力し保持する。各ラッチ部４２は、保持したデータドライバスタートパルスＳＰＸを次段の保持回路４０のインバータ回路４１に出力する。
【００４７】
従って、周辺駆動装置２から出力されたＨレベルのデータドライバスタートパルスＳＰＸは、データドライバクロック信号ＣＬＸ及びデータドライバクロック反転信号ＣＢＸに同期して、３本のデータ線Ｘ１〜Ｘ３に対応する保持回路４０から順番にデータ線Ｘ３ｍ−２〜Ｘ３ｍに対応する保持回路４０までシフトされていく。
【００４８】
保持回路４０のＮＡＮＤ回路４３は、その入力端子の一方がラッチ部４２の出力端子に接続され、他方が次段の保持回路４０に設けられたラッチ部４２の出力端子に接続されている。従って、各保持回路４０のＮＡＮＤ回路４３は、その保持回路４０のラッチ部４２及び次段の保持回路４０のラッチ部４２が共にＨレベルのデータドライバスタートパルスＳＰＸを保持すると、Ｌレベルの信号を出力する。そして、ＮＡＮＤ回路４３は、その保持回路４０のラッチ部４２がそのデータドライバスタートパルスＳＰＸをシフトさせるとＨレベルの信号を出力する。以後、新たなデータドライバスタートパルスＳＰＸをラッチ部４２がそれぞれ保持するまで、ＮＡＮＤ回路４３はＨレベルの信号を出力する。
【００４９】
尚、保持回路４０（ＮＡＮＤ回路４３）から出力される信号がＬレベルに立ち下がってからＨレベルに立ち上がるまでの期間は、データドライバクロック信号ＣＬＸ（データドライバクロック反転信号ＣＢＸ）の１／２周期となる。各保持回路４０に設けられたＮＡＮＤ回路４３の出力信号は、インバータ回路４４を介してレベル反転されて反転出力信号ＵＢＸとして出力される。尚、図４では、ｍ個のＮＡＮＤ回路４３に基づく反転出力信号ＵＢＸを、図７中の左側から順にＵＢＸ１，ＵＢＸ２，ＵＢＸ３，…，ＵＢＸｍ−１，ＵＢＸｍと表記している。
【００５０】
また、データドライバ１４に設けられる複数のトランジスタ１４ｂは３個が１組とされており、各組の３つのトランジスタ１４ｂは、そのゲート電極がシフトレジスタ１４ａの１つのインバータ回路４４に接続されている。各組における１つのトランジスタ１４ｂは赤用アナログ画像信号ＶＡＲが入力される信号線に接続され、もう１つのトランジスタ１４ｂは緑用アナログ画像信号ＶＡＧが入力される信号線に接続され、残りの１つのトランジスタ１４ｂは青用アナログ画像信号ＶＡＢが入力される信号線に接続されている。また、各トランジスタ１４ｂは、データ線Ｘ１〜Ｘ３ｍにそれぞれ接続されている。
【００５１】
従って、シフトレジスタ１４ａから反転出力信号ＵＢＸが出力される度に、１組のトランジスタ１４ｂが順次オン状態になり、アナログ画像信号ＶＡＲ，ＶＡＧ，ＶＡＢが１組の３本のデータ線に供給される。例えば、図７における左側のインバータ回路４４から反転出力信号ＵＢＸが出力されると、そのインバータ回路４４に接続された３つのトランジスタ１４ｂがオン状態になり、これによりデータ線Ｘ１〜Ｘ３にアナログ画像信号ＶＡＲ，ＶＡＧ，ＶＡＢがそれぞれ供給される。
【００５２】
次に、上記構成における有機ＥＬ装置１の動作について説明する。まず、周辺駆動装置２が備えるＣＰＵ（中央処理装置）は、主記憶部５に記憶された画像データを読み出し、主記憶部５を用いて展開処理等の各種処理を行ってグラフィックコントローラ６に出力する。１フレーム分の画像データがグラフィックコントローラ６に入力されると、グラフィックコントローラ６は、画素２０毎に１フレームにおけるアナログ画像信号ＶＡＲ，ＶＡＧ，ＶＡＢを作成する。
【００５３】
また、グラフィックコントローラ６の輝度情報解析部６ｂは、ＣＰＵ４から出力された画像データを元に画像データの輝度割合を算出する。輝度情報解析部６ｂは、算出した画像データの輝度割合とルックアップテーブル７に格納されているデータとに基づいて、有機ＥＬ素子２５Ｒ，２５Ｇ，２５Ｂを非発光とする（消去する）時間を決定する。以上の処理が終了すると、グラフィックコントローラ６は、作成したアナログ画像信号ＶＡＲ，ＶＡＧ，ＶＡＢをＶＲＡＭ９に出力し、更に、同期信号とともに決定した有機ＥＬ素子２５Ｒ，２５Ｇ，２５Ｂを非発光とする（消去する）時間を示す情報をタイミングコントローラ８に出力する。
【００５４】
そして、アナログ画像信号ＶＡＲ，ＶＡＧ，ＶＡＢが、図４に示すデータドライバスタートパルスＳＰＸ、データドライバクロック信号ＣＬＸ、及びデータドライバクロック反転信号ＣＢＸとともにデータドライバ１４へ出力され、書き込み用走査ドライバスタートパルスＳＰＹＷ１〜ＳＰＹＷ４、書き込み用走査ドライバクロック信号ＣＬＹＷ、書き込み用走査ドライバクロック反転信号ＣＢＹＷ、及び書き込み選択信号ＳＥＬＷ１，２が書き込み用走査ドライバ１２へ出力されて表示パネル１１の表示が行われる。
【００５５】
これらの信号が出力されると、まず書き込み用走査線ＹＷ１１が選択され、この書き込み用走査線ＹＷ１１に接続された画素２０に設けられた有機ＥＬ素子２５Ｒ，２５Ｇ，２５Ｂの発光が同一のタイミングで開始される。次に、書き込み用走査線ＹＷ２１が選択され、この書き込み用走査線ＹＷ２１に接続された画素２０に設けられた有機ＥＬ素子２５Ｒ，２５Ｇ，２５Ｂの発光が同一のタイミングで開始される。次いで、書き込み用走査線ＹＷ３１及び書き込み用走査線ＹＷ４１が順次選択され、書き込み用走査線ＹＷ３１に接続された画素２０に設けられた有機ＥＬ素子２５Ｒ，２５Ｇ，２５Ｂの発光が同一のタイミングで開始され、書き込み用走査線ＹＷ４１に接続された画素２０に設けられた有機ＥＬ素子２５Ｒ，２５Ｇ，２５Ｂの発光が同一のタイミングで開始される。
【００５６】
以上の４本の書き込み用走査線ＹＷ１１，ＹＷ２１，ＹＷ３１，ＹＷ４１の走査を終えると、次に、書き込み用走査線ＹＷ１２が選択され、この書き込み用走査線ＹＷ１２に接続された画素２０に設けられた有機ＥＬ素子２５Ｒ，２５Ｇ，２５Ｂの発光が同一のタイミングで開始される。そして、書き込み用走査線ＹＷ２２，ＹＷ３２，ＹＷ４２が順次選択され、以下同様に、書き込み用走査線ＹＷ１３，ＹＷ２３，ＹＷ３３，ＹＷ４３、書き込み用走査線ＹＷ１４，ＹＷ２４，ＹＷ３４，ＹＷ４４、…と走査され、書き込み用走査線に接続された画素２０に設けられた有機ＥＬ素子２５Ｒ，２５Ｇ，２５Ｂの発光が順次行われる。
【００５７】
ここで、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎは、表示パネル１１中において上方から下方へこの順で設けられている。前述した通り、これらの書き込み用走査線は、書き込み用走査線ＹＷ１１〜ＹＷ１ｎ、書き込み用走査線ＹＷ２１〜ＹＷ２ｎ、書き込み用走査線ＹＷ３１〜ＹＷ３ｎ、及び書き込み用走査線ＹＷ４１〜ＹＷ４ｎの４つに区分されているため、表示パネル１１の表示領域も４つの領域に区分されていると考えることができる。１つの領域に含まれる書き込み用走査線のみに着目すると、その領域内では他の領域から独立して書き込み用走査線が上から下まで順番に走査されているが、表示パネル１１全体に着目すると、書き込み用走査線は表示パネル１１の上方から下方へｎ本だけ飛び越した非順次の走査が行われている。かかる走査を行うことで、書き込み用走査線の非順次走査を容易に行うことができる。
【００５８】
上記の書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎの走査が行われている最中で、上記の書き込み用走査線ＹＷ１１の走査を開始してから所定時間（上記の有機ＥＬ素子２５Ｒ，２５Ｇ，２５Ｂを発光させている時間）が経過すると、周辺駆動装置２のタイミングコントローラ８から消去用走査ドライバ１３へ、消去用走査ドライバスタートパルスＳＰＹＥ１〜ＳＰＹＥ４が消去用書き込み用走査ドライバクロック信号ＣＬＹＥ、消去用走査ドライバクロック反転信号ＣＢＹＥ、及び消去選択信号ＳＥＬＥ１，２とともに出力され、書き込み用走査線の走査に対応した消去用走査線の走査（非順次の走査）が行われる。
【００５９】
具体的には、上記の各信号が出力されると、まず消去用走査線ＹＥ１１が選択され、この消去用走査線ＹＥ１１に接続された画素２０に設けられた有機ＥＬ素子２５Ｒ，２５Ｇ，２５Ｂが非発光とされる（消去される）。次に、消去用走査線ＹＥ２１が選択され、この消去用走査線ＹＥ２１に接続された画素２０に設けられた有機ＥＬ素子２５Ｒ，２５Ｇ，２５Ｂが非発光となる（消去される）。次いで、消去用走査線ＹＥ３１及び消去用走査線ＹＥ４１が順次選択され、消去用走査線ＹＥ３１に接続された画素２０に設けられた有機ＥＬ素子２５Ｒ，２５Ｇ，２５Ｂが非発光となり（消去され）、消去用走査線ＹＥ４１に接続された画素２０に設けられた有機ＥＬ素子２５Ｒ，２５Ｇ，２５Ｂが非発光となる（消去される）。
【００６０】
以上の４本の消去用走査線ＹＥ１１，ＹＥ２１，ＹＥ３１，ＹＥ４１の走査を終えると、次に、消去用走査線ＹＥ１２が選択され、この消去用走査線ＹＥ１２に接続された画素２０に設けられた有機ＥＬ素子２５Ｒ，２５Ｇ，２５Ｂが非発光となる（消去される）。そして、消去用走査線ＹＥ２２，ＹＥ３２，ＹＥ４２が順次選択され、以下同様に、消去用走査線ＹＥ１３，ＹＥ２３，ＹＥ３３，ＹＥ４３、消去用走査線ＹＥ１４，ＹＥ２４，ＹＥ３４，ＹＥ４４、…と走査され、消去用走査線に接続された画素２０に設けられた有機ＥＬ素子２５Ｒ，２５Ｇ，２５Ｂの発光が順次非発光とされる（消去される）。
【００６１】
上記の書き込み用走査線ＹＷ４ｎまでの走査が完了すると１つのフレームについての走査が終了し、次のフレームについての走査が開始される。そして、このフレームについての走査が開始されてから、所定時間（上記の有機ＥＬ素子２５Ｒ，２５Ｇ，２５Ｂを発光させている時間）が経過すると、上記と同様に周辺駆動装置２のタイミングコントローラ８から消去用走査ドライバ１３へ、消去用走査ドライバスタートパルスＳＰＹＥ１〜ＳＰＹＥ４が消去用書き込み用走査ドライバクロック信号ＣＬＹＥ、消去用走査ドライバクロック反転信号ＣＢＹＥ、及び消去選択信号ＳＥＬＳＥ１，２とともに出力されて消去用走査線ＹＥ１１が選択され、この消去用走査線ＹＥ１１に接続された画素２０に設けられた有機ＥＬ素子２５Ｒ，２５Ｇ，２５Ｂが非発光とされる（消去される）。そして、消去用走査線ＹＥ２１，ＹＥ３１，ＹＥ４１、消去用走査線ＹＥ１２，ＹＥ２２，ＹＥ３２，ＹＥ４２、消去用走査線ＹＥ１３，ＹＥ２３，ＹＥ３３，ＹＥ４３、…の順で順次選択されて各々の消去用走査線に接続された画素２０に設けられた有機ＥＬ素子２５Ｒ，２５Ｇ，２５Ｂの発光が順次非発光とされる（消去される）。
【００６２】
このように、本実施形態では、消去用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎが書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎの走査に対応させて非順次に走査される。書き込み用走査線と同様に、消去用走査線も、消去用走査線ＹＥ１１〜ＹＥ１ｎ、消去用走査線ＹＥ２１〜ＹＥ２ｎ、消去用走査線ＹＥ３１〜ＹＥ３ｎ、消去用走査線ＹＥ４１〜ＹＥ４ｎの４つに区分されている。このため、消去用走査線に関しても、表示パネル１１の表示領域が４つの領域に区分されていると考えることができる。よって、１つの領域に含まれる消去用走査線のみに着目すると、その領域内では他の領域から独立して消去用走査線が上から下まで順番に走査されているが、表示パネル１１全体に着目すると、消去用走査線は表示パネル１１の上方から下方へｎ本だけ飛び越した非順次の走査が行われている。かかる走査を行うことで、消去用走査線についても非順次走査を容易に行うことができる。
【００６３】
図８は、本発明の第１実施形態による電気光学装置の駆動方法を説明するための図である。図８に示す図は、横軸に時間を取り、縦軸に走査線の走査方向を取ってある。尚、以下の説明では書き込み用走査線と消去用走査線とを区別しない場合には、単に走査線という。図８（ａ）〜図８（ｃ）は、発光面積が１０％、５０％、１００％のときの有機ＥＬ素子２５Ｒ，２５Ｇ，２５Ｂを発光・非発光とする期間をそれぞれ示す図であり、各々の図においては発光面積が１０％、５０％、１００％のときの画素が設けられている領域（表示パネル１１の表示領域）と発光面積との関係をそれぞれ模式的に図示している。
【００６４】
図８（ａ）〜図８（ｃ）に示す通り、表示パネル１１の表示領域の縦方向（走査方向）が４つの領域に区分されており、前述した通り、各領域に含まれる走査線が順次独立して走査されることにより、表示パネル１１の表示領域全体としては走査線が非順次走査されている。図８（ａ）に示す通り発光面積が１０％の場合には、図１に示した輝度情報解析部６ｂにおいて算出される画像データの輝度割合Ｌｒが「０」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成するが、この制御信号は消去用走査ドライバスタートパルスＳＰＹＥ１〜ＳＰＹＥ４を発生させるものではない。このため、イミングコントローラ８から図２に示した消去用走査ドライバ１３に対して、消去用走査ドライバスタートパルスＳＰＹＥ１〜ＳＰＹＥ４は供給されない。その結果、発光面積が１０％のときには各走査線に接続された画素に設けられる有機ＥＬ素子２５Ｒ，２５Ｇ，２５Ｂの各々は１フレーム期間発光し、有機ＥＬ素子２５Ｒ，２５Ｇ，２５Ｂを非発光とする期間はない。
【００６５】
次に、図８（ｂ）に示す通り発光面積が５０％の場合には、図１に示した輝度情報解析部６ｂにおいて算出される画像データの輝度割合Ｌｒが「０．５」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成する。ここで生成された制御信号に基づいて、図１に示すタイミングコントローラ８から図２に示す消去用走査ドライバ１３に対して、図８（ｂ）に示す時刻ｔ１１のタイミングで消去用走査ドライバスタートパルスＳＰＹＥ１〜ＳＰＹＥ４が供給される。その結果、発光面積が５０％のときには各走査線に接続された画素に設けられる有機ＥＬ素子２５Ｒ，２５Ｇ，２５Ｂの各々は１フレーム期間の前半分の期間だけ発光し、残りの後半分の期間は有機ＥＬ素子２５Ｒ，２５Ｇ，２５Ｂは非発光となる。
【００６６】
次いで、図８（ｃ）に示す通り発光面積が１００％の場合には、図１に示した輝度情報解析部６ｂにおいて算出される画像データの輝度割合Ｌｒが「１」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成する。ここで生成された制御信号に基づいて、図１に示すタイミングコントローラ８から図２に示す消去用走査ドライバ１３に対して、図８（ｂ）に示す時刻ｔ１２のタイミングで消去用走査ドライバスタートパルスＳＰＹＥ１〜ＳＰＹＥ４が供給される。その結果、発光面積が５０％のときには各走査線に接続された画素に設けられる有機ＥＬ素子２５Ｒ，２５Ｇ，２５Ｂの各々は１フレーム期間の先頭の所定の期間だけ発光し、残りの期間は有機ＥＬ素子２５Ｒ，２５Ｇ，２５Ｂは非発光となる。図８（ｃ）に示す例では、有機ＥＬ素子２５Ｒ，２５Ｇ，２５Ｂが発光する時間よりも有機ＥＬ素子２５Ｒ，２５Ｇ，２５Ｂが非発光となる時間の方が長く設定される。
【００６７】
このように、本実施形態では、発光面積（表示画像の輝度割合）に応じて有機ＥＬ素子２５Ｒ，２５Ｇ，２５Ｂを非発光とするタイミングを調整して有機ＥＬ素子２５Ｒ，２５Ｇ，２５Ｂの発光時間を調整している。電圧（駆動電圧ＶＥＲ，ＶＥＧ，ＶＥＢ）は発光面積に依らず一定であるため、各有機ＥＬ素子２５Ｒ，２５Ｇ，２５Ｂの発光輝度は発光時間に依存する。このため、有機ＥＬ素子２５Ｒ，２５Ｇ，２５Ｂに印加する電圧（駆動電圧ＶＥＲ，ＶＥＧ，ＶＥＢ）を変えることなく、表示画像の輝度割合に応じた輝度制御を行うことができ、従来から用いられているＣＲＴのようにメリハリのある表示を行うことができる。また、本実施形態においては、発光面積が大きい場合であっても駆動電圧を変化させる必要がないため、高い階調制御性を実現することができる。更に、本実施形態では、表示パネル１１の表示領域を全体として見た場合に、走査線を非順次に走査しているため、表示パネル１１の表示領域内における発光画素の偏りが防止でき（発光画素を分散させることができ）、これによりちらつきの発生を抑えた表示品質の高い表示を行うことができる。
【００６８】
尚、図８に示す例では、発光面積が１０％，５０％，１００％の場合のみを図示しているが、発光面積の各々に応じて有機ＥＬ素子２５Ｒ，２５Ｇ，２５Ｂを非発光とする時間を設定することにより、発光面積に応じた輝度制御を連続的に行うことも可能である。有機ＥＬ素子２５Ｒ，２５Ｇ，２５Ｂを非発光とするタイミングは、図１に示すルックアップテーブル７に格納されるデータにより設定されるため、このデータをテーブルの内容を変更するだけで有機ＥＬ素子２５Ｒ，２５Ｇ，２５Ｂを非発光とするタイミングを自在に変えることができるため、装置構成の大幅な変更を招くこともない。
【００６９】
ここで、発光面積に応じた輝度制御は、従来のＣＲＴの輝度制御に近づけることが望ましい。図９は、ＣＲＴとＬＣＤ（液晶表示装置）の輝度制御の一例を示す図である。図９に示すグラフは、横軸に画像データ及び発光面積を取り、縦軸に輝度を取ってある。尚、横軸に取った画像データは、その値が「０」のときに黒表示が行われ、その値が「１００」のときに白表示が行われる。図９に示すグラフは２つのグラフに分けられる。つまり、発光面積を１００％に固定して画像データの値を「０」〜「１００」の範囲で変化させた第１グラフＲ１と、画像データの値を「１００」に固定して発光面積は１００％〜０％に変化させた第２グラフＲ２とに分けられる。尚、図中符号Ｈ１を付して示す破線のグラフがＣＲＴの輝度変化を示すグラフであり、符号Ｈ２を付して示す実線のグラフがＬＣＤの輝度変化を示すグラフである。
【００７０】
図９に示す通り、第１グラフＲ１においては、ＣＲＴの輝度変化を示すグラフＨ１及びＬＣＤの輝度変化を示すグラフＨ２の何れのグラフも画像データの値が大きくなるにつれて輝度の値が高くなることが分かる。しかしながら、第２グラフＲ２においては、ＣＲＴの輝度変化を示すグラフＨ１が発光面積の減少に従って輝度が非線形的に高くなっているのに対し、ＬＣＤの輝度変化を示すグラフＨ２は、一定輝度（画像データの値が「１００」のときの輝度）を保っていることが分かる。従来の電気光学装置は発光面積に応じた輝度制御が行われていなかったため、ＬＣＤの輝度変化を示すグラフＨ２と同様に、発光面積が変化しても一定輝度で発光していた。
【００７１】
これに対し、本実施形態の電気光学装置１は上述した駆動方法により、発光面積に応じた輝度制御を行っているため、ＣＲＴのようなメリハリのある表示を行うことができる。ここで、極力ＣＲＴの表示に近づけるために、発光面積に応じた輝度制御は、第２グラフにおけるＣＲＴの輝度変化を示すグラフＨ１の如く発光面積に応じて輝度が非線形に変化するように制御することが望ましい。
【００７２】
また、本実施形態においては、各画素２０Ｒ，２０Ｇ，２０Ｂに設けられた保持容量２２の各々にアナログ画像信号ＶＡＲ，ＶＡＧ，ＶＡＢに応じた電位を保持させ、この保持容量２２に保持された電位により駆動用ＴＦＴ２３を制御して有機ＥＬ素子２５Ｒ，２５Ｇ，２５Ｂの各々に流れる電流を制御している。このため、各画素２０Ｒ，２０Ｇ，２０Ｂに設けられる有機ＥＬ素子２５Ｒ，２５Ｇ，２５Ｂの特性（閾値電圧）にばらつきがあると、アナログ画像信号ＶＡＲ，ＶＡＧ，ＶＡＢに応じた表示がなされなくなる。
【００７３】
このため、各画素２０Ｒ，２０Ｇ，２０Ｂの構成を図１０に示す構成にするのが望ましい。図１０は、画素２０Ｒの他の構成例を示す図である。尚、画素２０Ｇ，２０Ｂについては、画素２０Ｒと同様の構成であるため、ここでは画素２０Ｒについてのみ説明し、画素２０Ｇ，２０Ｂの説明は省略する。図１０に示す通り、画素２０Ｒにおける接続点Ｐ１（図３参照）には、駆動用ＴＦＴ２３の閾値電圧のばらつきを補償するための補償回路２８が設けられている。この補償回路２８を備えることにより、各画素２０Ｒ，２０Ｇ，２０Ｂに設けられた駆動用ＴＦＴ２３の閾値電圧のばらつきが補償され、良好な画像表示を行うことができる。
【００７４】
更に、上記実施形態では、表示パネル１１の表示領域の縦方向（走査方向）を４つの領域に区分して走査線を非順次に走査していたが、時間方向についても１フレーム期間（所定の単位時間）を４つに区分して走査することも可能である。図１１は、本発明の第１実施形態による電気光学装置の駆動方法の他の例を説明するための図である。尚、図１１に示す図においては、図８と同様に、横軸に時間を取り、縦軸に走査線の走査方向を取ってある。また、図１１（ａ）〜図１１（ｃ）は、図８（ａ）〜図８（ｃ）と同様に、発光面積が１０％、５０％、１００％のときの有機ＥＬ素子２５Ｒ，２５Ｇ，２５Ｂを発光・非発光とする期間をそれぞれ示す図である。
【００７５】
図１１（ａ）〜図１１（ｃ）に示す通り、本駆動方法においても表示パネル１１の表示領域の縦方向（走査方向）が４つの領域に区分されており、図８を用いて説明した駆動方法と同様に、各領域に含まれる走査線が順次独立して走査されることにより、表示パネル１１の表示領域全体としては走査線が非順次走査されている。これに加え、本駆動方法においては、区分された各領域の走査開始タイミングが１／４フレーム期間だけずらされている。かかる走査は、書き込み用走査ドライバ１２に設けられるシフトレジスタ１２ａ〜１２ｄの各々に入力される書き込み用走査ドライバスタートパルスＳＰＹＷ１〜ＳＰＹＷ４（図６参照）のタイミング、及び消去用走査ドライバ１３に設けられるシフトレジスタ１３ａ〜１３ｄの各々に入力される消去用走査ドライバスタートパルスＳＰＹＥ１〜ＳＰＹＥ４（図６参照）のタイミングをずらすことにより実現される。
【００７６】
図１１（ａ）に示す通り発光面積が１０％の場合には、図１に示した輝度情報解析部６ｂにおいて算出される画像データの輝度割合Ｌｒが「０」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成するが、この制御信号は消去用走査ドライバスタートパルスＳＰＹＥ１〜ＳＰＹＥ４を発生させるものではない。このため、イミングコントローラ８から図２に示した消去用走査ドライバ１３に対して、消去用走査ドライバスタートパルスＳＰＹＥ１〜ＳＰＹＥ４は供給されない。その結果、発光面積が１０％のときには各走査線に接続された画素に設けられる有機ＥＬ素子２５Ｒ，２５Ｇ，２５Ｂの各々は１フレーム期間発光し、有機ＥＬ素子２５Ｒ，２５Ｇ，２５Ｂを非発光とする期間はない。
【００７７】
次に、図１１（ｂ）に示す通り発光面積が５０％の場合には、図１に示した輝度情報解析部６ｂにおいて算出される画像データの輝度割合Ｌｒが「０．５」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成する。ここで生成された制御信号に基づいて、図１に示すタイミングコントローラ８から図２に示す消去用走査ドライバ１３に対して、消去用走査ドライバスタートパルスＳＰＹＥ１〜ＳＰＹＥ４が供給される。具体的には、消去用走査ドライバスタートパルスＳＰＹＥ１は図１１（ｂ）に示す時刻ｔ２１のタイミングで供給され、消去用走査ドライバスタートパルスＳＰＹＥ２は図１１（ｂ）に示す時刻ｔ２２のタイミングで供給される。また、消去用走査ドライバスタートパルスＳＰＹＥ３は図１１（ｂ）に示す時刻ｔ２３のタイミングで供給され、消去用走査ドライバスタートパルスＳＰＹＥ２４が図１１（ｂ）に示す時刻ｔ２４のタイミングで供給される。その結果、発光面積が５０％のときには各走査線に接続された画素に設けられる有機ＥＬ素子２５Ｒ，２５Ｇ，２５Ｂの各々は１フレーム期間の前半分の期間だけ発光し、残りの後半分の期間は有機ＥＬ素子２５Ｒ，２５Ｇ，２５Ｂは非発光となる。
【００７８】
次いで、図１１（ｃ）に示す通り発光面積が１００％の場合には、図１に示した輝度情報解析部６ｂにおいて算出される画像データの輝度割合Ｌｒが「１」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成する。ここで生成された制御信号に基づいて、図１に示すタイミングコントローラ８から図２に示す消去用走査ドライバ１３に対して、消去用走査ドライバスタートパルスＳＰＹＥ１〜ＳＰＹＥ４が供給される。具体的には、消去用走査ドライバスタートパルスＳＰＹＥ１は図１１（ｃ）に示す時刻ｔ２６のタイミングで供給され、消去用走査ドライバスタートパルスＳＰＹＥ２は図１１（ｃ）に示す時刻ｔ２７のタイミングで供給される。また、消去用走査ドライバスタートパルスＳＰＹＥ３は図１１（ｃ）に示す時刻ｔ２８のタイミングで供給され、消去用走査ドライバスタートパルスＳＰＹＥ２４が図１１（ｃ）に示す時刻ｔ２９のタイミングで供給される。その結果、発光面積が５０％のときには各走査線に接続された画素に設けられる有機ＥＬ素子２５Ｒ，２５Ｇ，２５Ｂの各々は１フレーム期間の先頭の所定の期間だけ発光し、残りの期間は有機ＥＬ素子２５Ｒ，２５Ｇ，２５Ｂは非発光となる。図１１（ｃ）に示す例では、有機ＥＬ素子２５Ｒ，２５Ｇ，２５Ｂが発光する時間よりも有機ＥＬ素子２５Ｒ，２５Ｇ，２５Ｂが非発光となる時間の方が長く設定される。
【００７９】
以上の走査が行われる本駆動方法においても、図８を用いて説明した駆動方法と同様に、発光面積（表示画像の輝度割合）に応じた有機ＥＬ素子２５Ｒ，２５Ｇ，２５Ｂの発光時間の調整が行われる。つまり、図１１（ａ）に示す通り、発光面積が１０％のときには各走査線に接続された画素に設けられる有機ＥＬ素子２５Ｒ，２５Ｇ，２５Ｂの各々を１フレーム期間の間発光させ、有機ＥＬ素子２５Ｒ，２５Ｇ，２５Ｂを非発光とする期間は設けられていない。これに対し、図１１（ｂ）に示す通り、発光面積が５０％のときには各走査線に接続された画素に設けられる有機ＥＬ素子２５Ｒ，２５Ｇ，２５Ｂの各々を１フレーム期間の前半分の期間だけ発光させ、残りの後半分の期間は有機ＥＬ素子２５Ｒ，２５Ｇ，２５Ｂを非発光としている（消去している）。また、図１１（ｃ）に示す通り、発光面積が１００％のときには各走査線に接続された画素に設けられる有機ＥＬ素子２５Ｒ，２５Ｇ，２５Ｂの各々を１フレーム期間の先頭の所定の期間だけ発光させ、残りの期間は有機ＥＬ素子２５Ｒ，２５Ｇ，２５Ｂを非発光としている（消去している）。
【００８０】
以上の駆動を行うことにより、表示パネル１１の表示領域内における発光画素の偏りのみならず、発光している画素の時間位置の偏りも分散させることができるため、隣接フレーム間の表示のちらつきを防止でき、これによりちらつきの発生をより効果的に抑制することができる。また、本駆動方法においても、発光面積（表示画像の輝度割合）に応じて有機ＥＬ素子２５Ｒ，２５Ｇ，２５Ｂを非発光とするタイミングを調整して有機ＥＬ素子２５Ｒ，２５Ｇ，２５Ｂの発光時間を調整しているため、従来から用いられているＣＲＴのようにメリハリのある表示を行うことができる。尚、上記実施形態では、表示パネル１１の表示領域の縦方向（走査方向）が４つの領域に区分されていたため、区分された各領域の走査開始タイミングが１／４フレーム期間だけずらされていたが、走査開始タイミングは１フレーム期間を区分の数で除算して得られる時間だけずらせばよい。
【００８１】
〔第２実施形態〕
次に、本発明の第２実施形態による電気光学装置について説明する。尚、本実施形態においても、電気光学装置として有機ＥＬ装置を例に挙げて説明を進める。本実施形態の電気光学装置の全体構成は、図１に示した第１実施形態による電気光学装置１とほぼ同様である。但し、本実施形態の電気光学装置は、書き込み用走査ドライバ１２及び消去用走査ドライバ１３に相当するものの内部構成と、タイミングコントローラ８から書き込み用走査ドライバ１２及び消去用走査ドライバ１３に相当するものに出力される信号とが第１実施形態による電気光学装置とは相違する。尚、以下の説明では、第１実施形態による電気光学装置１が備える構成と同様の構成については同一の符号を付し、第１実施形態と相違する部分について説明する。
【００８２】
［表示パネル部３］
図１２は、本発明の第２実施形態による電気光学装置が備える表示パネル部の構成を示すブロック図である。図１２に示す通り、本実施形態の表示パネル部３は、図２に示す書き込み用走査ドライバ１２に代えて書き込み用走査ドライバ１７を備えるとともに、図２に示す消去用走査ドライバ１３に代えて消去用走査ドライバ１８を備えている。図１に示すタイミングコントローラ８から書き込み用走査ドライバ１７には、基本クロック信号ＣＬＫに基づいて書き込み用走査ドライバデジタルコード信号ＡＷ００〜ＡＷ０ｐが出力され、タイミングコントローラ８から消去用走査ドライバ１８には、基本クロック信号ＣＬＫに基づいて消去用走査ドライバデジタルコード信号ＡＥ００〜ＡＥ０ｐが出力される。
【００８３】
書き込み用走査ドライバデジタルコード信号ＡＷ００〜ＡＷ０ｐは、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎのうちの走査すべき書き込み用走査線を指定する信号である。消去用走査ドライバデジタルコード信号ＡＥ００〜ＡＥ０ｐは、書き込み用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎのうちの走査すべき書き込み用走査線を指定する信号である。つまり、書き込み用走査ドライバデジタルコード信号ＡＷ００〜ＡＷ０ｐを指定することで任意の書き込み用走査線を走査することができ、消去用走査ドライバデジタルコード信号ＡＥ００〜ＡＥ０ｐを指定することで任意の消去用走査線を走査することができる。
【００８４】
尚、図１に示すタイミングコントローラ８からデータドライバ１４には、第１実施形態と同様に、データドライバクロック信号ＣＬＸ及びデータドライバクロック反転信号ＣＢＸデータドライバスタートパルスＳＰＸ、並びにアナログ画像信号ＶＡＲ，ＶＡＧ，ＶＡＢが出力出力される。
【００８５】
［書き込み用走査ドライバ１７及び消去用走査ドライバ１８］
図１２に示す通り、書き込み用走査ドライバ１７は、デコーダ１７ａ及びレベルシフタ１７ｂを含んで構成される。デコーダ１７ａは、タイミングコントローラ８からの書き込み用走査ドライバデジタルコード信号ＡＷ００〜ＡＷ０ｐをデコードして、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎの何れかを走査するための信号をレベルシフタ１７ｂに出力する。レベルシフタ１７ｂは、図６に示すレベルシフタ１２ｆと同様の構成であり、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎにそれぞれ接続された４ｎ個のバッファ回路を備えている。よって、レベルシフタ１７ｂは、デコーダ１７ａから出力される信号を、書き込み用走査信号ＳＣｗ１１〜ＳＣｗ１ｎ，ＳＣｗ２１〜ＳＣｗ２ｎ，ＳＣｗ３１〜ＳＣｗ３ｎ，ＳＣｗ４１〜ＳＣｗ４ｎとして書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎのそれぞれに出力する。
【００８６】
消去用走査ドライバ１８は、図１２に示す通り、デコーダ１８ａ及びレベルシフタ１８ｂを含んで構成される。デコーダ１８ａは、タイミングコントローラ８からの消去用走査ドライバデジタルコード信号ＡＥ００〜ＡＥ０ｐをデコードして、消去用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎの何れかを走査するための信号をレベルシフタ１８ｂに出力する。レベルシフタ１８ｂは、図６に示すレベルシフタ１２ｆと同様の構成であり、消去用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎにそれぞれ接続された４ｎ個のバッファ回路を備えている。尚、消去用走査ドライバ１８の動作は、基本的には書き込み用走査ドライバ１７の動作と同様であるため、その詳細な説明は省略する。
【００８７】
次に、上記構成における本発明の第２実施形態による電気光学装置の動作について説明する。尚、本実施形態では、書き込み用走査線及び消去用走査線の走査速度は、第１実施形態における走査速度の２倍であるとし、１フレーム期間において各々の走査線が２回走査されるとする。まず、第１実施形態と同様に、周辺駆動装置２が備えるＣＰＵ（中央処理装置）は、主記憶部５に記憶された画像データを読み出し、主記憶部５を用いて展開処理等の各種処理を行ってグラフィックコントローラ６に出力する。１フレーム分の画像データがグラフィックコントローラ６に入力されると、グラフィックコントローラ６は、画素２０毎に１フレームにおけるアナログ画像信号ＶＡＲ，ＶＡＧ，ＶＡＢを作成する。
【００８８】
また、グラフィックコントローラ６の輝度情報解析部６ｂは、ＣＰＵ４から出力された画像データを元に画像データの輝度割合を算出する。輝度情報解析部６ｂは、算出した画像データの輝度割合とルックアップテーブル７に格納されているデータとに基づいて、有機ＥＬ素子２５Ｒ，２５Ｇ，２５Ｂを非発光とする（消去する）時間を決定する。以上の処理が終了すると、グラフィックコントローラ６は、作成したアナログ画像信号ＶＡＲ，ＶＡＧ，ＶＡＢをＶＲＡＭ９に出力し、更に、同期信号とともに決定した有機ＥＬ素子２５Ｒ，２５Ｇ，２５Ｂを非発光とする（消去する）時間を示す情報をタイミングコントローラ８に出力する。
【００８９】
そして、アナログ画像信号ＶＡＲ，ＶＡＧ，ＶＡＢが、データドライバスタートパルスＳＰＸ、データドライバクロック信号ＣＬＸ、及びデータドライバクロック反転信号ＣＢＸとともにデータドライバ１７へ出力され、書き込み用走査ドライバデジタルコード信号ＡＷ００〜ＡＷ０ｐが書き込み用走査ドライバ１７へ出力されて表示パネル１１の表示が行われる。
【００９０】
これらの信号が出力されると、まず書き込み用走査線ＹＷ１１が選択され、この書き込み用走査線ＹＷ１１に接続された画素２０に設けられた有機ＥＬ素子２５Ｒ，２５Ｇ，２５Ｂの発光が同一のタイミングで開始される。次に、書き込み用走査線ＹＷ２１が選択され、この書き込み用走査線ＹＷ２１に接続された画素２０に設けられた有機ＥＬ素子２５Ｒ，２５Ｇ，２５Ｂの発光が同一のタイミングで開始される。次いで、書き込み用走査線ＹＷ３１及び書き込み用走査線ＹＷ４１が順次選択され、書き込み用走査線ＹＷ３１に接続された画素２０に設けられた有機ＥＬ素子２５Ｒ，２５Ｇ，２５Ｂの発光が同一のタイミングで開始され、書き込み用走査線ＹＷ４１に接続された画素２０に設けられた有機ＥＬ素子２５Ｒ，２５Ｇ，２５Ｂの発光が同一のタイミングで開始される。
【００９１】
以上の４本の書き込み用走査線ＹＷ１１，ＹＷ２１，ＹＷ３１，ＹＷ４１の走査を終えると、次に、書き込み用走査線ＹＷ１２が選択され、この書き込み用走査線ＹＷ１２に接続された画素２０に設けられた有機ＥＬ素子２５Ｒ，２５Ｇ，２５Ｂの発光が同一のタイミングで開始される。そして、書き込み用走査線ＹＷ２２，ＹＷ３２，ＹＷ４２が順次選択され、以下同様に、書き込み用走査線ＹＷ１３，ＹＷ２３，ＹＷ３３，ＹＷ４３、書き込み用走査線ＹＷ１４，ＹＷ２４，ＹＷ３４，ＹＷ４４、…と走査され、書き込み用走査線に接続された画素２０に設けられた有機ＥＬ素子２５Ｒ，２５Ｇ，２５Ｂの発光が順次行われる。
【００９２】
尚、書き込み用走査ドライバデジタルコード信号ＡＷ００〜ＡＷ０ｐの指定によって任意の書き込み用走査線を走査することができるが、ここでは、第１実施形態の走査順と同様の順序で書き込み用走査線が走査されるものとする。即ち、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎの区分により区分された表示パネル１１の４つの領域のうちの１つの領域に含まれる書き込み用走査線のみに着目した場合には、その領域内では他の領域から独立して書き込み用走査線が上から下まで順番に走査され、表示パネル１１全体に着目すると、書き込み用走査線は表示パネル１１の上方から下方へｎ本だけ飛び越した非順次の走査が行われるものとする。但し、本実施形態では、走査速度が第１実施形態における走査速度の２倍である場合を考えているため、書き込み用走査線の各々が２倍の速度で走査される点に注意されたい。
【００９３】
上記の書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎの走査が行われている最中で、上記の書き込み用走査線ＹＷ１１の走査を開始してから所定時間（上記の有機ＥＬ素子２５Ｒ，２５Ｇ，２５Ｂを発光させている時間）が経過すると、周辺駆動装置２のタイミングコントローラ８から消去用走査ドライバ１３へ、消去用走査ドライバデジタルコード信号ＡＥ００〜ＡＥ０ｐが出力され、書き込み用走査線の走査に対応した消去用走査線の走査（非順次の走査）が行われる。
【００９４】
具体的には、上記の消去用走査ドライバデジタルコード信号ＡＥ００〜ＡＥ０ｐが出力されると、まず消去用走査線ＹＥ１１が選択され、この消去用走査線ＹＥ１１に接続された画素２０に設けられた有機ＥＬ素子２５Ｒ，２５Ｇ，２５Ｂが非発光とされる（消去される）。次に、消去用走査線ＹＥ２１が選択され、この消去用走査線ＹＥ２１に接続された画素２０に設けられた有機ＥＬ素子２５Ｒ，２５Ｇ，２５Ｂが非発光となる（消去される）。次いで、消去用走査線ＹＥ３１及び消去用走査線ＹＥ４１が順次選択され、消去用走査線ＹＥ３１に接続された画素２０に設けられた有機ＥＬ素子２５Ｒ，２５Ｇ，２５Ｂが非発光となり（消去され）、消去用走査線ＹＥ４１に接続された画素２０に設けられた有機ＥＬ素子２５Ｒ，２５Ｇ，２５Ｂが非発光となる（消去される）。
【００９５】
以上の４本の消去用走査線ＹＥ１１，ＹＥ２１，ＹＥ３１，ＹＥ４１の走査を終えると、次に、消去用走査線ＹＥ１２が選択され、この消去用走査線ＹＥ１２に接続された画素２０に設けられた有機ＥＬ素子２５Ｒ，２５Ｇ，２５Ｂが非発光となる（消去される）。そして、消去用走査線ＹＥ２２，ＹＥ３２，ＹＥ４２が順次選択され、以下同様に、消去用走査線ＹＥ１３，ＹＥ２３，ＹＥ３３，ＹＥ４３、消去用走査線ＹＥ１４，ＹＥ２４，ＹＥ３４，ＹＥ４４、…と走査され、消去用走査線に接続された画素２０に設けられた有機ＥＬ素子２５Ｒ，２５Ｇ，２５Ｂの発光が順次非発光とされる（消去される）。
【００９６】
上記の書き込み用走査線ＹＷ４ｎまでの走査が完了すると半フレームについての走査が終了し、残りの半フレームについての走査が開始される。そして、この半フレームについての走査が開始されてから、所定時間（上記の有機ＥＬ素子２５Ｒ，２５Ｇ，２５Ｂを発光させている時間）が経過すると、上記と同様に周辺駆動装置２のタイミングコントローラ８から消去用走査ドライバ１３へ、消去用走査ドライバデジタルコード信号ＡＥ００〜ＡＥ０ｐが出力されて消去用走査線ＹＥ１１が選択され、この消去用走査線ＹＥ１１に接続された画素２０に設けられた有機ＥＬ素子２５Ｒ，２５Ｇ，２５Ｂが非発光とされる（消去される）。
【００９７】
そして、消去用走査線ＹＥ２１，ＹＥ３１，ＹＥ４１、消去用走査線ＹＥ１２，ＹＥ２２，ＹＥ３２，ＹＥ４２、消去用走査線ＹＥ１３，ＹＥ２３，ＹＥ３３，ＹＥ４３、…の順で順次選択されて各々の消去用走査線に接続された画素２０に設けられた有機ＥＬ素子２５Ｒ，２５Ｇ，２５Ｂの発光が順次非発光とされる（消去される）。このように、本実施形態においても、第１実施形態と同様に、消去用走査線ＹＥ１１〜ＹＥ１ｎ，ＹＥ２１〜ＹＥ２ｎ，ＹＥ３１〜ＹＥ３ｎ，ＹＥ４１〜ＹＥ４ｎが書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎの走査に対応させて非順次に走査される。よって、第１実施形態と同様に、書き込み用走査線及び消去用走査線の非順次走査を容易に行うことができる。
【００９８】
図１３は、本発明の第２実施形態による電気光学装置の駆動方法を説明するための図である。尚、図８と同様に、横軸に時間を取り、縦軸に走査線の走査方向を取ってある。図１３（ａ）〜図１３（ｃ）は、発光面積が１０％、５０％、１００％のときの有機ＥＬ素子２５Ｒ，２５Ｇ，２５Ｂを発光・非発光とする期間をそれぞれ示す図であり、各々の図においては発光面積が１０％、５０％、１００％のときの画素が設けられている領域（表示パネル１１の表示領域）と発光面積との関係をそれぞれ模式的に図示している。
【００９９】
図１３（ａ）〜図１３（ｃ）に示す通り、表示パネル１１の表示領域の縦方向（走査方向）が４つの領域に区分されており、各領域に含まれる走査線が順次独立して走査されることにより、表示パネル１１の表示領域全体としては走査線が非順次走査されている。また、本実施形態においては、走査速度が第１実施形態における走査速度の２倍であるため、各領域において全ての走査線を走査するのに要する時間は、１フレーム期間の半分の時間である。
【０１００】
図１３（ａ）に示す通り発光面積が１０％の場合には、図１に示した輝度情報解析部６ｂにおいて算出される画像データの輝度割合Ｌｒが「０」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成するが、この制御信号は消去用走査ドライバデジタルコード信号ＡＥ００〜ＡＥ０ｐを発生させるものではない。このため、イミングコントローラ８から図１２に示した消去用走査ドライバ１８に対して、消去用走査ドライバデジタルコード信号ＡＥ００〜ＡＥ０ｐは供給されない。その結果、発光面積が１０％のときには各走査線に接続された画素に設けられる有機ＥＬ素子２５Ｒ，２５Ｇ，２５Ｂの各々は１フレーム期間発光し、有機ＥＬ素子２５Ｒ，２５Ｇ，２５Ｂを非発光とする期間はない。
【０１０１】
次に、図１３（ｂ）に示す通り発光面積が５０％の場合には、図１に示した輝度情報解析部６ｂにおいて算出される画像データの輝度割合Ｌｒが「０．５」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成する。ここで生成された制御信号に基づいて、図１に示すタイミングコントローラ８から図１２に示す消去用走査ドライバ１８に対して、消去用走査ドライバデジタルコード信号ＡＥ００〜ＡＥ０ｐが図１３（ｂ）に示す時刻ｔ３１のタイミングで供給される。
【０１０２】
また、図１３（ｂ）に示す時刻ｔ３１のタイミングで消去用走査ドライバデジタルコード信号ＡＥ００〜ＡＥ０ｐが供給された後に、図１に示すタイミングコントローラ８から図１２に示す書き込み用走査ドライバ１７に対して、書き込み用走査ドライバデジタルコード信号ＡＷ００〜ＡＷ０ｐが図１３（ｂ）に示す時刻ｔ３２のタイミングで出力される。その後、図１に示すタイミングコントローラ８から図１２に示す消去用走査ドライバ１８に対して、消去用走査ドライバデジタルコード信号ＡＥ００〜ＡＥ０ｐが図１３（ｂ）に示す時刻ｔ３３のタイミングで供給される。その結果、発光面積が５０％のときには各走査線に接続された画素に設けられる有機ＥＬ素子２５Ｒ，２５Ｇ，２５Ｂの各々は、１フレームの前半分と後半分とのそれぞれにおいて前半分の期間だけ発光し、残りの後半分の期間は有機ＥＬ素子２５Ｒ，２５Ｇ，２５Ｂは非発光となる。つまり、１フレームの前半分における先頭から１／４フレーム期間と、１フレームの後半分における先頭から１／４フレーム期間だけ発光させている。
【０１０３】
次いで、図１３（ｃ）に示す通り発光面積が１００％の場合には、図１に示した輝度情報解析部６ｂにおいて算出される画像データの輝度割合Ｌｒが「１」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成する。ここで生成された制御信号に基づいて、図１に示すタイミングコントローラ８から図１２に示す消去用走査ドライバ１８に対して、消去用走査ドライバデジタルコード信号ＡＥ００〜ＡＥ０ｐが図１３（ｃ）に示す時刻ｔ３６のタイミングで供給される。
【０１０４】
また、図１３（ｃ）に示す時刻ｔ３６のタイミングで消去用走査ドライバデジタルコード信号ＡＥ００〜ＡＥ０ｐが供給された後に、図１に示すタイミングコントローラ８から図１２に示す書き込み用走査ドライバ１７に対して、書き込み用走査ドライバデジタルコード信号ＡＷ００〜ＡＷ０ｐが図１３（ｃ）に示す時刻ｔ３７のタイミングで出力される。その後、図１に示すタイミングコントローラ８から図１２に示す消去用走査ドライバ１８に対して、消去用走査ドライバデジタルコード信号ＡＥ００〜ＡＥ０ｐが図１３（ｃ）に示す時刻ｔ３８のタイミングで供給される。その結果、発光面積が１００％のときには各走査線に接続された画素に設けられる有機ＥＬ素子２５Ｒ，２５Ｇ，２５Ｂの各々は、１フレーム期間の前半分と後半分とのそれぞれにおいて先頭の所定の期間だけ発光し、残りの期間は有機ＥＬ素子２５Ｒ，２５Ｇ，２５Ｂは非発光となる。図１３（ｃ）に示す例では、有機ＥＬ素子２５Ｒ，２５Ｇ，２５Ｂが発光する時間よりも有機ＥＬ素子２５Ｒ，２５Ｇ，２５Ｂが非発光となる時間の方が長く設定される。
【０１０５】
このように、本実施形態では、走査線の走査速度を第１実施形態における走査速度の２倍とし、１フレーム期間において各走査線を２回走査しているが、各走査線の１回目の走査と２回目の走査とのそれぞれにおいて、第１実施形態と同様に非順次走査を行っている。また、第１回目の走査及び第２回目の走査の各々で、発光面積（表示画像の輝度割合）に応じて有機ＥＬ素子２５Ｒ，２５Ｇ，２５Ｂを非発光とするタイミングを調整して有機ＥＬ素子２５Ｒ，２５Ｇ，２５Ｂの発光時間を調整している。よって、有機ＥＬ素子２５Ｒ，２５Ｇ，２５Ｂに印加する電圧（駆動電圧ＶＥＲ，ＶＥＧ，ＶＥＢ）を変えることなく、表示画像の輝度割合に応じた輝度制御を行うことができ、従来から用いられているＣＲＴのようにメリハリのある表示を行うことができる。また、本実施形態においては、発光面積が大きい場合であっても駆動電圧を変化させる必要がないため、高い階調制御性を実現することができる。更に、本実施形態では、表示パネル１１の表示領域を全体として見た場合に、走査線を非順次に走査しており、更に１フレーム期間で走査線を２回走査しているため、表示パネル１１の表示領域内において発光画素をより分散させることができ、これにより更にちらつきの発生を抑えた表示品質の高い表示を行うことができる。
【０１０６】
尚、図１３に示す例では、発光面積が１０％，５０％，１００％の場合のみを図示しているが、発光面積の各々に応じて有機ＥＬ素子２５Ｒ，２５Ｇ，２５Ｂを非発光とする時間を設定することにより、発光面積に応じた輝度制御を連続的に行うことも可能である。有機ＥＬ素子２５Ｒ，２５Ｇ，２５Ｂを非発光とするタイミングは、図１に示すルックアップテーブル７に格納されるデータにより設定されるため、このデータをテーブルの内容を変更するだけで有機ＥＬ素子２５Ｒ，２５Ｇ，２５Ｂを非発光とするタイミングを自在に変えることができるため、装置構成の大幅な変更を招くこともない。また、本実施形態においても、図９に示したＣＲＴの輝度変化を示すグラフＨ１の如く発光面積に応じて輝度が非線形に変化するように制御することが望ましい。尚、本実施形態では、１フレーム期間で走査線を２回走査する場合を例に挙げて説明したが、１フレーム期間内における走査回数は任意である。
【０１０７】
尚、上述した実施形態では、図２及び図１２に示す通り、表示パネル１１の下端から上端まで延びる電源線Ｌｒ，Ｌｇ，Ｌｂが表示パネル１１に形成されている例について説明したが、表示パネル１１に形成される電源線Ｌｒ，Ｌｇ，Ｌｂはこれ以外の構成であっても良い。例えば、図２及び図１２に示す電源線Ｌｒ，Ｌｇ，Ｌｂを表示パネル１１の上下方向の中央において分割し、分割された電源線Ｌｒ，Ｌｇ，Ｌｂのうちの表示パネル１１の上半分に位置するものに接続される電源供給線ＬＲ，ＬＧ，ＬＢを表示パネル１１の上端に形成した構成であっても良い。かかる構成にすることで、電源線Ｌｒ，Ｌｇ，Ｌｂによる電圧降下を低減することができ、これにより消費電力を低減することができる。
【０１０８】
以上、本発明の第１、第２実施形態による電気光学装置について説明したが、本発明は上記実施形態に制限されることはなく、本発明の範囲内で自由に変更が可能である。例えば、前述した実施形態では、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎを走査してデータ線Ｘ１〜Ｘ３ｍに供給されるアナログ画像信号ＶＡＲ，ＶＡＧ，ＶＡＢを各画素に書き込むタイミングと、各画素に設けられた有機ＥＬ装置２５Ｒ，２５Ｇ，２５Ｂを発光させるタイミングとが同一であった。
【０１０９】
しかしながら、アナログ画像信号ＶＡＲ，ＶＡＧ，ＶＡＢを各画素に書き込むタイミングと各画素に設けられた有機ＥＬ装置２５Ｒ，２５Ｇ，２５Ｂを発光させるタイミングとを別々とすることができる構成にして、アナログ画像信号ＶＡＲ，ＶＡＧ，ＶＡＢの書き込み終了後にアナログ画像信号ＶＡＲ，ＶＡＧ，ＶＡＢが書き込まれた画素に設けられた有機ＥＬ装置２５Ｒ，２５Ｇ，２５Ｂを一斉に発光させてもよい。そして、表示画像の輝度割合に応じた輝度制御を行う場合には、発光させた有機ＥＬ装置２５Ｒ，２５Ｇ，２５Ｂを輝度割合に応じて一斉に非発光としてもよい。
【０１１０】
図１４は、本発明の他の実施形態による電気光学装置の駆動方法を説明するための図である。尚、図８と同様に、横軸に時間を取り、縦軸に走査線の走査方向を取ってある。図１４（ａ）〜図１４（ｃ）は、発光面積が１０％、５０％、１００％のときの有機ＥＬ素子２５Ｒ，２５Ｇ，２５Ｂを発光・非発光とする期間をそれぞれ示す図であり、各々の図においては発光面積が１０％、５０％、１００％のときの画素が設けられている領域（表示パネル１１の表示領域）と発光面積との関係をそれぞれ模式的に図示している。
【０１１１】
図１４（ａ）〜図１４（ｃ）に示す通り、本実施形態では、書き込み用走査線ＹＷ１１〜ＹＷ１ｎ，ＹＷ２１〜ＹＷ２ｎ，ＹＷ３１〜ＹＷ３ｎ，ＹＷ４１〜ＹＷ４ｎを走査してアナログ画像信号ＶＡＲ，ＶＡＧ，ＶＡＢを各画素に書き込む書き込み期間と、有機ＥＬ素子２５Ｒ，２５Ｇ，２５Ｂの発光・非発光を制御する期間とが設けられている。尚、図１４においては、書き込み期間と有機ＥＬ素子２５Ｒ，２５Ｇ，２５Ｂの発光・非発光を制御する期間とを同じ長さにしているが、ちらつきの発生を防止するため書き込み期間は極力短くするのが望ましい。
【０１１２】
また、表示パネル１１の表示領域の縦方向（走査方向）が４つの領域に区分されており、書き込み期間においては各領域に含まれる走査線が順次独立して走査されることにより、表示パネル１１の表示領域全体としては走査線が非順次走査されている。書き込み期間が終了すると、有機ＥＬ素子２５Ｒ，２５Ｇ，２５Ｂの発光・非発光を制御する期間が開始され、アナログ画像信号ＶＡＲ，ＶＡＧ，ＶＡＢが書き込まれた画素に設けられた有機ＥＬ素子２５Ｒ，２５Ｇ，２５Ｂの発光が一斉に開始される。図１４（ａ）〜図１４（ｃ）に示す例では、時刻ｔ４０において有機ＥＬ素子２５Ｒ，２５Ｇ，２５Ｂの発光が一斉に開始される。
【０１１３】
図１４（ａ）に示す通り発光面積が１０％の場合には、図１に示した輝度情報解析部６ｂにおいて算出される画像データの輝度割合Ｌｒが「０」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成するが、この制御信号は有機ＥＬ素子２５Ｒ，２５Ｇ，２５Ｂを非発光にするものではない。その結果、発光面積が１０％のときには各走査線に接続された画素に設けられる有機ＥＬ素子２５Ｒ，２５Ｇ，２５Ｂの各々は図１４（ａ）に示す発光期間の間発光し、有機ＥＬ素子２５Ｒ，２５Ｇ，２５Ｂを非発光とする期間はない。
【０１１４】
次に、図１４（ｂ）に示す通り発光面積が５０％の場合には、図１に示した輝度情報解析部６ｂにおいて算出される画像データの輝度割合Ｌｒが「０．５」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成する。この制御信号に基づいて有機ＥＬ素子２５Ｒ，２５Ｇ，２５Ｂを非発光とする信号が図１４（ｂ）に示す時刻ｔ４１のタイミングで供給され、有機ＥＬ素子２５Ｒ，２５Ｇ，２５Ｂが非発光になる。その結果、発光面積が５０％のときには各走査線に接続された画素に設けられる有機ＥＬ素子２５Ｒ，２５Ｇ，２５Ｂの各々は、図１４（ｂ）に示した発光・非発光を制御する期間の前半分の期間だけ発光し、残りの後半分の期間は有機ＥＬ素子２５Ｒ，２５Ｇ，２５Ｂは非発光となる。
【０１１５】
次いで、図１４（ｃ）に示す通り発光面積が１００％の場合には、図１に示した輝度情報解析部６ｂにおいて算出される画像データの輝度割合Ｌｒが「１」に近い値になる。ここで、輝度情報解析部６ｂは、算出した画像データの輝度割合とルックアップテーブル７に格納されている内容とに基づいて、画素の発光している有機ＥＬ素子の発光時間を調整するための制御信号を生成する。この制御信号に基づいて有機ＥＬ素子２５Ｒ，２５Ｇ，２５Ｂを非発光とする信号が図１４（ｃ）に示す時刻ｔ４２のタイミングで供給され、有機ＥＬ素子２５Ｒ，２５Ｇ，２５Ｂが非発光になる。その結果、発光面積が１００％のときには各走査線に接続された画素に設けられる有機ＥＬ素子２５Ｒ，２５Ｇ，２５Ｂの各々は、発光・非発光を制御する期間の先頭の所定の期間だけ発光し、残りの期間は有機ＥＬ素子２５Ｒ，２５Ｇ，２５Ｂは非発光となる。図１４（ｃ）に示す例では、有機ＥＬ素子２５Ｒ，２５Ｇ，２５Ｂが発光する発光期間よりも有機ＥＬ素子２５Ｒ，２５Ｇ，２５Ｂが非発光となる非発光期間の方が長く設定される。
【０１１６】
また、以上説明した実施形態では、電気光学装置が有機ＥＬ装置である場合について説明したが、本発明は電気光学装置が液晶装置である場合にも適用することができる。液晶装置の具体的な構成は、例えば図１，図２に示す有機ＥＬ装置１と同様の構成である。但し、図２に示す表示パネル部３から電源供給線ＬＲ，ＬＧ，ＬＢを除くとともに各画素２０（画素２０Ｒ，２０Ｇ，２０Ｂ）を図１５に示す構成にすればよい。
【０１１７】
図１５は、本発明の電気光学装置が液晶装置である場合の画素２０の構成を示す回路図である。尚、図１５においては、図３と同様に表示パネル１１の左上隅に位置する画素２０を図示しており、図３に示す構成と同一の構成については同一の符号を付してある。図１５に示す通り、表示パネル１１の左上隅に位置する画素２０は、赤色の光を発光する画素２０Ｒと、緑色の光を放射する画素２０Ｇと、青色の光を放射する画素２０Ｂとを有している。ここで、図１５に示す画素２０Ｒ，２０Ｇ，２０Ｂは、赤色の光、青色の光、緑色の光をそれぞれ自発光する訳ではなく、液晶を透過した光が不図示のカラーフィルタを通過することにより、赤色の光、青色の光、緑色の光が発光されるものである。尚、表示パネル１１に設けられる他の画素も以下に説明する画素２０Ｒ，２０Ｇ，２０Ｂから構成されている。
【０１１８】
画素２０Ｒには、書き込み用走査線ＹＷ１１を介して書き込み用の走査信号がゲート電極に供給されるスイッチング用ＴＦＴ５１と、このスイッチング用ＴＦＴ５１を介してデータ線Ｘ１から供給される画素信号を保持する保持容量５２と、保持容量５２によって保持された画素信号の電圧が印加される画素電極５３と、画素電極５３と対向電極５４との間に挟持されて、画素電極５３と対向電極５４との間に印加される電圧に応じて光の透過量が変化する液晶５５とが設けられている。また、消去用走査線ＹＥ１１を介して消去用の走査信号がゲート電極に供給され、ソース電極が画素電極５３に接続されるとともにドレイン電極が対向電極５４に接続されたスイッチング用ＴＦＴ５６も設けられている。
【０１１９】
画素２０Ｇには、書き込み用走査線ＹＷ１１を介して書き込み用の走査信号がゲート電極に供給されるスイッチング用ＴＦＴ５１と、このスイッチング用ＴＦＴ５１を介してデータ線Ｘ２から供給される画素信号を保持する保持容量５２と、保持容量５２によって保持された画素信号の電圧が印加される画素電極５３と、画素電極５３と対向電極５４との間に挟持されて、画素電極５３と対向電極５４との間に印加される電圧に応じて光の透過量が変化する液晶５５とが設けられている。また、消去用走査線ＹＥ１１を介して消去用の走査信号がゲート電極に供給され、ソース電極が画素電極５３に接続されるとともにドレイン電極が対向電極５４に接続されたスイッチング用ＴＦＴ５６も設けられている。
【０１２０】
同様に、画素２０Ｂには、書き込み用走査線ＹＷ１１を介して書き込み用の走査信号がゲート電極に供給されるスイッチング用ＴＦＴ５１と、このスイッチング用ＴＦＴ５１を介してデータ線Ｘ３から供給される画素信号を保持する保持容量５２と、保持容量５２によって保持された画素信号の電圧が印加される画素電極５３と、画素電極５３と対向電極５４との間に挟持されて、画素電極５３と対向電極５４との間に印加される電圧に応じて光の透過量が変化する液晶５５とが設けられている。また、消去用走査線ＹＥ１１を介して消去用の走査信号がゲート電極に供給され、ソース電極が画素電極５３に接続されるとともにドレイン電極が対向電極５４に接続されたスイッチング用ＴＦＴ５６も設けられている。
【０１２１】
上記構成の画素２０において、書き込み用走査線ＹＷ１１が駆動されてスイッチング用ＴＦＴ５１がオン状態になると、そのときのデータ線Ｘ１〜Ｘ３の電位が画素２０Ｒ，２０Ｇ，２０Ｂの保持容量５２にそれぞれ保持される。次いで、各保持容量５２の状態に応じて、画素２０Ｒ，２０Ｇ，２０Ｂに設けられた液晶５５の透過量が変化する。この結果、画素２０Ｒ，２０Ｇ，２０Ｂからはその透過量に応じた光が発光される。また、書き込み用走査線ＹＷ１１が駆動されてない状態で、消去用走査線ＹＥ１１が駆動されて画素２０Ｒ，２０Ｇ，２０Ｂに設けられたスイッチング用ＴＦＴ５６の各々がオン状態になると、画素電極５３と対向電極５４とが短絡されて同電位になる。この結果、画素２０Ｒ，２０Ｇ，２０Ｂの各々に設けられた液晶５５の透過率が極めて小さくなり、各画素２０Ｒ，２０Ｇ，２０Ｂは非発光状態（オフ状態）になる。
【０１２２】
以上説明した構成の液晶装置において、前述した実施形態と同様の方法で発光面積（表示画像の輝度割合）に応じて各画素２０（画素２０Ｒ，２０Ｇ，２０Ｂ）を非発光とするタイミングを調整することで、表示画像の輝度割合に応じた輝度制御を行うことができ、従来から用いられているＣＲＴのようにメリハリのある表示を行うことができる。また、走査線を非順次に走査することで、表示パネル１１の表示領域内における発光画素の偏りが防止でき（発光画素を分散させることができ）、これによりちらつきの発生を抑えた表示品質の高い表示を行うことができる。
【０１２３】
〔電子機器〕
次に、本発明の電子機器について説明する。本発明の電子機器は、上述した電気光学装置を表示部として備えるものであり、具体的には図１６に示すものが挙げられる。図１６は、本発明の電子機器の例を示す図である。図１６（ａ）は、携帯電話の一例を示した斜視図である。図１６（ａ）において、携帯電話１０００は、上述した電気光学装置を用いた表示部１００１を備える。図１６（ｂ）は、腕時計型電子機器の一例を示した斜視図である。図１６（ｂ）において、時計１１００は、上述した電気光学装置を用いた表示部１１０１を備える。図１６（ｃ）は、ワープロ、パソコン等の携帯型情報処理装置の一例を示した斜視図である。図１６（ｃ）において、情報処理装置１２００は、キーボードなどの入力部１２０２、上述した電気光学装置を用いた表示部１２０６、情報処理装置本体（筐体）１２０４を備える。図１６（ａ）〜（ｃ）に示すそれぞれの電子機器は、上述した電気光学装置を有した表示部１００１，１１０１，１２０６を備えているので、良好な表示特性を有する電子機器が提供される。
【０１２４】
尚、本実施形態の電気光学装置は、上記の電子機器以外に、ビューワ、ゲーム機等の携帯情報端末、電子書籍、電子ペーパ等種々の電子機器に適応できる。また、電気光学装置は、ビデオカメラ、デジタルカメラ、カーナビゲーション、カーステレオ、運転操作パネル、パーソナルコンピュータ、プリンタ、スキャナ、テレビ、ビデオプレーヤー等種々の電子機器にも適応できる。
【図面の簡単な説明】
【０１２５】
【図１】本発明の第１実施形態による電気光学装置の電気的構成を示すブロック図である。
【図２】本発明の第１実施形態による電気光学装置が備える表示パネル部の構成を示すブロック図である。
【図３】本発明の第１実施形態による電気光学装置が備える表示パネルの左上隅に位置する画素２０の構成を示す回路図である。
【図４】本発明の第１実施形態における表示パネル部３のデータドライバ１４に関する信号のタイミングチャートである。
【図５】同実施形態における書き込み用走査ドライバ１２に関する信号のタイミングチャートである。
【図６】本発明の第１実施形態による電気光学装置が備える書き込み用走査ドライバ１２の構成を示す回路図である。
【図７】本発明の第１実施形態の電気光学装置が備えるデータドライバ１４の構成を示す回路図である。
【図８】本発明の第１実施形態による電気光学装置の駆動方法を説明するための図である。
【図９】ＣＲＴとＬＣＤ（液晶表示装置）の輝度制御の一例を示す図である。
【図１０】画素２０Ｒの他の構成例を示す図である。
【図１１】本発明の第１実施形態による電気光学装置の駆動方法の他の例を説明するための図である。
【図１２】本発明の第２実施形態による電気光学装置が備える表示パネル部の構成を示すブロック図である。
【図１３】本発明の第２実施形態による電気光学装置の駆動方法を説明するための図である。
【図１４】本発明の他の実施形態による電気光学装置の駆動方法を説明するための図である。
【図１５】本発明の電気光学装置が液晶装置である場合の画素２０の構成を示す回路図である。
【図１６】本発明の電子機器の例を示す図である。
【符号の説明】
【０１２６】
１…有機ＥＬ装置、２…周辺駆動装置、１２…書き込み用走査ドライバ、１３…消去用走査ドライバ、１４…データドライバ、１７…書き込み用走査ドライバ、１８…消去用走査ドライバ、２０…画素、２０Ｒ，２０Ｇ，２０Ｂ…画素、２３…駆動用ＴＦＴ、２５Ｒ，２５Ｇ，２５Ｂ…有機ＥＬ素子、２８…補償回路、５３…画素電極、５４…対向電極、５５…液晶、Ｘ１〜Ｘ３ｍ…データ線、Ｙ１〜Ｙｎ…走査線、ＹＥ１１〜ＹＥ１ｎ…消去用走査線、ＹＥ２１〜ＹＥ２ｎ…消去用走査線、ＹＥ３１〜ＹＥ３ｎ…消去用走査線、ＹＥ４１〜ＹＥ４ｎ…消去用走査線、ＹＷ１１〜ＹＷ１ｎ…書き込み用走査線、ＹＷ２１〜ＹＷ２ｎ…書き込み用走査線、ＹＷ３１〜ＹＷ３ｎ…書き込み用走査線、ＹＷ４１〜ＹＷ４ｎ…書き込み用走査線
【図１】
2007293264.tif 000003
【図２】
2007293264.tif 000004
【図３】
2007293264.tif 000005
【図４】
2007293264.tif 000006
【図５】
2007293264.tif 000007
【図６】
2007293264.tif 000008
【図７】
2007293264.tif 000009
【図８】
2007293264.tif 000010
【図９】
2007293264.tif 000011
【図１０】
2007293264.tif 000012
【図１１】
2007293264.tif 000013
【図１２】
2007293264.tif 000014
【図１３】
2007293264.tif 000015
【図１４】
2007293264.tif 000016
【図１５】
2007293264.tif 000017
【図１６】
2007293264.tif 000018